(57)【要約】本発明は、最少侵襲的な手術処置を用いて個々の患者の関節運動特性を回復する方法およびデバイスを提供する。本発明の機器装備は、所定様式で第２骨に対して通常的に関節結合する第１骨の関節結合表面を彫成する。上記機器装備は、骨彫成ツールと、該ツールを上記第２骨に取付ける取付部材とを含む。上記インプラント・システムは、関節の制約に対する術中の外科的選択肢を提供するインプラントであって個々の患者の解剖学的構造により定義される運動特性を回復すべく関節の適切な整列および配向を促進するインプラントを備える。
2005526524.tif 000002
【特許請求の範囲】
【請求項１】
第２骨に対して通常的に関節結合する第１骨の関節結合表面を彫成する装置において、
第１骨の関節結合表面を彫成する位置において該骨彫成ツールを第２骨に取付けるため、または、前記第２骨が前記第１骨に対して所定の対応で関節結合している間に関節表面を彫成するための取付部分を含む骨彫成ツールを備える第１骨の関節結合表面を彫成する装置。
【請求項２】
前記骨彫成ツールの前記取付部分に取付けられるべく構成された取付部材であって、前記第１骨に取付可能とされて上記ツールを所定位置に取付けることで前記第１骨の前記関節結合表面を彫成する取付部材を更に備えて成る請求項１記載の装置。
【請求項３】
前記取付部材は前記第２骨に対して堅固に取付けられるべく構成される請求項２記載の装置。
【請求項４】
前記取付部材は骨彫成ツールと一体的である請求項２記載の装置。
【請求項５】
前記取付部材は外部固定具である請求項２記載の装置。
【請求項６】
前記第１骨は大腿骨であり且つ前記第２骨は脛骨であり、前記骨彫成ツールは大腿骨の関節結合表面を彫成する位置において脛骨に対して取付けられるべく構成される請求項１または２に記載の装置。
【請求項７】
前記第１骨は寛骨臼であり且つ前記第２骨は大腿骨であり、前記骨彫成ツールは寛骨臼の関節結合表面を彫成する位置において大腿骨に対して取付けられるべく構成される請求項１または２に記載の装置。
【請求項８】
前記骨彫成ツールの前記取付部分は前記第２骨に対する直接的取付けに適合される請求項１または２に記載の装置。
【請求項９】
前記骨彫成ツールの前記取付部分は前記第２骨に対する間接的取付けに適合される請求項１または２に記載の装置。
【請求項１０】
前記第２骨は大腿骨であり且つ前記骨彫成ツールの前記取付部分は大腿骨用ブローチに対する取付けに適合される請求項９記載の装置。
【請求項１１】
前記第２骨は大腿骨であり且つ前記骨彫成ツールの前記取付部分は大腿用ステムに対する取付けに適合される請求項９記載の装置。
【請求項１２】
前記骨彫成ツールは、該ツールの回転軸心の回りで概略的に対称的な骨彫成表面を含み、且つ、
上記骨彫成ツールは、前記各骨の一方に対する他方の通常関節結合により画成される関節結合平面に対して上記回転軸心を略平行として、前記第１骨の前記関節結合表面に関して位置決めされる請求項１または２に記載の装置。
【請求項１３】
前記骨彫成表面は一個以上の切削工具を含み、該一個以上の切削工具は概略的に前後方向に配向された回転軸心を有する請求項１２記載の装置。
【請求項１４】
前記骨彫成表面は概略的に円筒形状である請求項１２記載の装置。
【請求項１５】
前記骨彫成ツールは、該ツールの回転軸心の回りで概略的に対称的な骨彫成表面を含み、且つ、
上記骨彫成ツールは、前記各骨の一方に対する他方の通常関節結合により画成される関節結合平面に対して上記回転軸心を略直交させて、前記第１骨の前記関節結合表面に関して位置決めされる請求項１または２に記載の装置。
【請求項１６】
前記骨彫成表面は一個以上の切削工具を含み、該一個以上の切削工具は概略的に内外側方向に配向された回転軸心を有する請求項１５記載の装置。
【請求項１７】
前記一個以上の切削工具は、内側工具、外側工具および中央工具を含み、上記中央工具は上記内側および外側工具よりも大きな半径を有する請求項１３または１６に記載の装置。
【請求項１８】
前記一個以上の工具は、前記回転軸心に対して凸状である切削表面を提供すべく形状化される請求項１３または１６に記載の装置。
【請求項１９】
前記骨彫成表面は概略的に円筒形状とされることで、前記平面内において湾曲された床部であるが上記平面に対して直交する方向においては概略的に直線状である床部を有する彫成溝を生成する請求項１５記載の装置。
【請求項２０】
前記骨彫成ツールは回転に対して設計される請求項１、２、７の何れか１項に記載の装置。
【請求項２１】
前記骨彫成ツールは揺動に対して設計される請求項１、２、７の何れか１項に記載の装置。
【請求項２２】
前記骨彫成ツールは半球リーマを備える請求項１、２、７の何れか１項に記載の装置。
【請求項２３】
前記第１および第２骨の間の通常関節結合を許容し乍ら上記第１骨を上記第２骨から伸延させるために上記第１および第２骨の間に挿入されるべく構成された伸延器を更に備えて成る請求項１または２に記載の装置。
【請求項２４】
前記伸延器は固定厚みスペーサである請求項２３記載の装置。
【請求項２５】
前記伸延器は、夫々の骨に係合可能な一個以上の表面と、各表面間の距離の調節を可能とする手段とを含む請求項２３記載の装置。
【請求項２６】
前記伸延器は流体充填されたカテーテルもしくはバルーンである請求項２５記載の装置。
【請求項２７】
前記伸延器は機械的楔である請求項２５記載の装置。
【請求項２８】
前記骨彫成ツールは伸張に対して適合される請求項１、２、７の何れか１項に記載の装置。
【請求項２９】
前記骨彫成ツールは回転軸心を有し、且つ、前記伸張は該回転軸心に沿うものである請求項２６記載の装置。
【請求項３０】
前記骨彫成ツールの伸張に対する送りネジを更に備えて成る請求項２６記載の装置。
【請求項３１】
前記骨彫成ツールの伸張に対する詰め金を更に備えて成る請求項２６記載の装置。
【請求項３２】
前記骨彫成ツールの伸張に対する空気圧起動デバイスを更に備えて成る請求項２６記載の装置。
【請求項３３】
前記取付部材は、関節結合の間において前記第１骨における骨彫成ツール深度が調節され得る如く可変高度にて前記骨彫成ツールを位置決めする位置決め要素を更に備えて成る請求項２記載の装置。
【請求項３４】
前記取付部材は該ショルダ上に滑走表面を有するショルダを更に含む請求項３３記載の装置。
【請求項３５】
前記位置決め要素は前記第１骨と第２骨との間に動的伸延を提供する請求項３３記載の装置。
【請求項３６】
前記骨彫成ツールを駆動する駆動機構を更に備えて成る請求項１、２、７の何れか１項に記載の装置。
【請求項３７】
前記駆動機構は取付部材と一体的である請求項３６記載の装置。
【請求項３８】
前記駆動機構は大腿用ステムに取付けられるべく構成される請求項３６記載の装置。
【請求項３９】
前記駆動機構はギヤボックスを備える請求項３６記載の装置。
【請求項４０】
前記駆動機構はウォームおよびウォームギヤの組み合わせを備える請求項３６記載の装置。
【請求項４１】
前記駆動機構はベベルギア組み合わせを備える請求項３６記載の装置。
【請求項４２】
前記駆動機構はモータを含む請求項３６記載の装置。
【請求項４３】
前記モータは、該翼板に対する油圧流体流に応じて該油圧モータを駆動する翼板を有する油圧モータである請求項４２記載の装置。
【請求項４４】
前記油圧モータの翼板は前記骨彫成ツールと一体的である請求項４２記載の装置。
【請求項４５】
前記駆動機構をモータに対して接続する可撓駆動シャフトを更に備えて成る請求項３６記載の装置。
【請求項４６】
前記モータは手術用動力ドリルである請求項４２記載の装置。
【請求項４７】
前記取付部材もしくは付加的取付部材に対して取付けられるべく構成された少なくとも一個の付加的な骨彫成ツールを更に備えて成る請求項２記載の装置。
【請求項４８】
前記第２骨と前記第１骨との間に力を提供する衝撃装置であって、該衝撃デバイスを上記第２骨に対して取付ける衝撃取付部分を含む衝撃デバイスを備える衝撃装置を更に備えて成る請求項１または２に記載の装置。
【請求項４９】
前記衝撃装置はインプラントを取付けるアダプタを更に備えて成る請求項４８記載の装置。
【請求項５０】
光源と、撮像用基部と、撮像デバイスと、ディスプレイとを備える視覚化装置を更に備えて成る請求項４８記載の装置。
【請求項５１】
前記視覚化装置は監視システムを更に含む請求項５０記載のシステム。
【請求項５２】
前記撮像用基部は、前記骨彫成装置の前記取付部分に対して取付けられるべく構成された取付部材であって前記第１骨に取付可能な取付部材と一体的である請求項５０または５１に記載の装置。
【請求項５３】
前記撮像用基部と一体的な潅流装置を更に備えて成る請求項５０〜５２の少なくとも１項に記載の装置。
【請求項５４】
前記撮像用基部と一体的な吸引装置を更に備えて成る請求項５０〜５３の少なくとも１項に記載の装置。
【請求項５５】
潅流装置を更に備えて成る請求項４８記載の装置。
【請求項５６】
吸引装置を更に備えて成る請求項４８または５５に記載の装置。
【請求項５７】
インプラントを位置決め、整列および監視する外科的索行システムを更に備えて成る請求項４８、５５、５６の何れか１項に記載の装置。
【請求項５８】
前記衝撃デバイスを位置決め、整列および監視する外科的索行システムを更に備えて成る請求項４８記載の装置。
【請求項５９】
第１骨の担持表面を擬態して置き換わるべく構成された複数の構成要素から作成された第１骨用インプラントと、
第２骨の担持表面を擬態して置き換わるべく構成された第２骨用基板とを備え、
上記第１骨用インプラントおよび上記第２骨用基板の各構成要素は上記第１骨と上記第２骨との間の関節腔の境界内において接合される、
第１骨は第２骨に対して所定様式で通常的に関節結合するという第１骨と第２骨との間の関節の表面を置き換える装置。
【請求項６０】
前記第１骨用インプラントおよび前記第２骨用基板の複数の構成要素は前記関節腔の境界内において相互に対して整列かつ配向される請求項５９記載の装置。
【請求項６１】
前記基板は複数の基板構成要素を更に備えて成る請求項５９記載の装置。
【請求項６２】
前記第１骨用インプラントは２個の構成要素から成る請求項５９記載の装置。
【請求項６３】
前記第１骨用インプラントは３個の構成要素から成る請求項５９記載の装置。
【請求項６４】
前記第１骨は大腿骨であり且つ前記第２骨は脛骨であり、且つ、
前記第１骨用インプラントは大腿骨インプラントであり且つ前記第２骨用基板は脛骨用基板である請求項５９記載の装置。
【請求項６５】
前記基板は単一片として構成される請求項５９または６４に記載の装置。
【請求項６６】
前記基板は、固定担持部取付具およびそれに取付けられた担持部と、可動担持部取付具およびそれに取付けられた担持部とを更に備えて成る請求項６４または６５に記載の装置。
【請求項６７】
前記基板は脛骨の内側および外側区画に対する別体の基板構成要素を含む請求項６４記載の装置。
【請求項６８】
前記基板構成要素の少なくとも一個は固定担持部である請求項６１または６７に記載の装置。
【請求項６９】
前記基板構成要素の少なくとも一個は可動担持部である請求項６１または６７に記載の装置。
【請求項７０】
前記各基板構成要素は固定担持部および可動担持部の組み合わせである請求項６１または６７に記載の装置。
【請求項７１】
前記大腿骨インプラントは内側顆を表面再形成する第１構成要素と外側顆を表面再形成する第２構成要素とを備える請求項６４記載の装置。
【請求項７２】
前記第２構成要素は膝蓋骨溝も表面再形成する請求項７１記載の装置。
【請求項７３】
前記大腿骨インプラントは、内側顆を表面再形成する第１構成要素と、外側顆を表面再形成する第２構成要素と、膝蓋骨溝を表面再形成する第３構成要素とを備える請求項６４記載の装置。
【請求項７４】
支持のために前記インプラントの各構成要素上の中央に配置されたフィンを更に備えて成る請求項５９または６４に記載の装置。
【請求項７５】
各構成要素は植設のために前記第１骨内に打ち込まれるフィンを更に備えて成る請求項５９または６４に記載の装置。
【請求項７６】
各構成要素は内面および外側面を有し、且つ、上記内面は複数の可撓セグメントから成る請求項５９〜６４の少なくとも１項に記載の装置。
【請求項７７】
前記複数のセグメントは関節結合表面に対して結合される請求項７６記載の装置。
【請求項７８】
前記外側面はインプラント等級材料の薄寸体である請求項７６記載の装置。
【請求項７９】
前記可撓セグメントをセメント固定する硬化可能流体を更に備えて成る請求項７６記載の装置。
【請求項８０】
前記硬化可能流体は各構成要素上に被覆される請求項７９記載の装置。
【請求項８１】
該衝撃デバイスを第２骨に対して取付けるための取付部分を含む衝撃デバイスと、
第１骨に対して固定されるインプラントとを備える、
隣接する第１および第２骨の間に力を与えてインプラントを固定する装置。
【請求項８２】
前記インプラントを配向する外部整列案内要素を更に備えて成る請求項８１記載の装置。
【請求項８３】
前記第１骨に関して前記インプラントを位置決め且つ整列する外科的索行システムを更に備えて成る請求項８１記載の装置。
【請求項８４】
前記第１骨に関して前記衝撃デバイスを位置決め、監視かつ整列する外科的索行システムを更に備えて成る請求項８１記載の装置。
【請求項８５】
前記取付部分に取付けられて前記第２骨に取付けられ得る取付部材を更に備えて成る請求項８１記載の装置。
【請求項８６】
前記インプラントは寛骨臼用シェルであり、且つ、前記衝撃デバイスは上記寛骨臼用シェルを寛骨臼内に固定すべく構成される請求項８１記載の装置。
【請求項８７】
前記インプラントを前記衝撃デバイスに取付けるアダプタを更に備えて成る請求項８１または８６項に記載の装置。
【請求項８８】
前記アダプタは前記インプラントが回転するのを制限する請求項８７記載の装置。
【請求項８９】
前記取付部分は前記第２骨に対する直接的取付けに適合される請求項８６記載の装置。
【請求項９０】
前記取付部分は前記第２骨に対する間接的取付けに適合される請求項８６記載の装置。
【請求項９１】
前記衝撃デバイスは空気圧衝撃ハンマである請求項８１記載の装置。
【請求項９２】
前記衝撃デバイスは線形アクチュエータである請求項８１記載の装置。
【請求項９３】
前記衝撃デバイスは油圧ピストンである請求項８１記載の装置。
【請求項９４】
前記衝撃デバイスはスプリング起動される請求項８１記載の装置。
【請求項９５】
前記衝撃デバイスは、起動毎の単一衝撃サイクルに対して起動されるべく構成される請求項８１記載の装置。
【請求項９６】
前記衝撃デバイスは、起動されている間の多重衝撃サイクルに対して起動されるべく構成される請求項８１記載の装置。
【請求項９７】
骨彫成ツールを配備する段階と、
第１骨の関節結合表面を彫成する位置において上記骨彫成ツールを第２骨に取付ける段階と、
上記骨彫成ツールを上記第２骨の関節結合表面に係合することにより上記第１骨の関節結合表面を彫成する段階とを備える、
第２骨に対して通常的に関節結合する第１骨の関節結合表面を彫成する方法。
【請求項９８】
前記第１骨の前記関節結合表面を彫成する前記段階は、各骨の一方を他方に関して関節運動させる段階を更に含む請求項９７記載の方法。
【請求項９９】
前記骨彫成ツールを前記第２骨に対して整列させる段階を更に備えて成る請求項９７記載の方法。
【請求項１００】
前記骨彫成ツールを前記第１骨に取付ける前記段階は、上記骨彫成ツールを大腿骨に取付ける段階を備え、
上記骨彫成ツールを前記第２骨に対して整列させる前記段階は、上記骨彫成ツールを寛骨臼内に載置する段階を備え、且つ、
上記第２骨の前記関節結合表面に係合することにより該第２骨の関節結合表面を彫成する前記段階は、寛骨臼の関節結合表面に係合することで寛骨臼の関節結合表面を彫成する段階を備える請求項９９記載の方法。
【請求項１０１】
前記骨彫成ツールを前記第２骨に取付ける前記段階は、上記骨彫成ツールを上記第２骨に対して直接的に取付ける段階を含む請求項９９または１００に記載の方法。
【請求項１０２】
前記骨彫成ツールを前記第２骨に取付ける前記段階は、上記骨彫成ツールを上記第２骨に直接的に取付ける段階を含む請求項９７〜１００の少なくとも１項に記載の方法。
【請求項１０３】
前記第２骨は大腿骨であると共に前記第１骨は寛骨臼であり、且つ、
前記骨彫成ツールを上記第２骨に取付ける前記段階は、上記骨彫成ツールを大腿骨試作物に取付ける段階と、上記大腿骨試作物を大腿骨内に載置する段階とを備える請求項１０２記載の方法。
【請求項１０４】
前記第２骨は大腿骨であると共に前記第１骨は寛骨臼であり、且つ、
前記骨彫成ツールを上記第２骨に取付ける前記段階は、上記骨彫成ツールをブローチに取付ける段階と、上記ブローチを大腿骨内に載置する段階とを備える請求項１０２記載の方法。
【請求項１０５】
前記第２骨は大腿骨であると共に前記第１骨は寛骨臼であり、且つ、
前記骨彫成ツールを上記第２骨に取付ける前記段階は、上記骨彫成ツールを大腿骨インプラントに取付ける段階と、上記大腿骨インプラントを大腿骨内に載置する段階とを備える請求項１０２記載の方法。
【請求項１０６】
前記骨彫成ツールを前記第２骨に取付ける前記段階は、上記骨彫成ツールを受容する取付部材を配備する段階と、前記第１骨の前記関節結合表面を彫成する位置に上記骨彫成ツールを置き乍ら上記取付部材を上記第２骨に取付ける段階とを更に含む請求項９７〜１０２の少なくとも１項に記載の方法。
【請求項１０７】
前記骨彫成ツールを前記取付部材に取付けるべく調節可能取付具を配備する段階を更に備えて成る請求項１０６記載の方法。
【請求項１０８】
前記第１骨を前記第２骨から術前的に伸延させることで、上記第１骨に対する上記第２骨の動作の範囲および患者の運動特性を評価する段階を更に備えて成る請求項１０７記載の方法。
【請求項１０９】
前記第１骨の前記関節結合表面を彫成する前記段階の間において上記第１骨を前記第２骨から伸延させる段階を更に備えて成る請求項１０７記載の方法。
【請求項１１０】
前記第２骨から前記第１骨を伸延させる前記段階は、上記第１骨の前記関節結合表面を彫成する前記段階の間において上記第２骨が上記第１骨に対する柔軟組織取付部から自由に吊下するのを許容する段階を含む請求項１０９記載の方法。
【請求項１１１】
伸延器を配備する段階と、該伸延器により前記第１骨を前記第２骨から伸延させる段階とを更に備えて成る請求項１０８または１０９に記載の方法。
【請求項１１２】
前記伸延器は膨張可能であり、且つ、
前記第２骨から前記第１骨を伸延させる前記段階は上記伸延器を膨張させる段階を更に含む請求項１１１記載の方法。
【請求項１１３】
前記伸延器は前記骨彫成ツールと一体的である請求項１１１記載の方法。
【請求項１１４】
前記骨彫成ツールを伸張して寛骨臼に係合させる段階と、前記関節に張り亙る柔軟組織構造を張設する段階とを更に備えて成る請求項１００記載の方法。
【請求項１１５】
寛骨臼内に前記骨彫成ツールを載置する前記段階を促進すべく上記骨彫成ツール引込める段階を更に備えて成る請求項１００記載の方法。
【請求項１１６】
骨彫成ツールを配備する段階と、
第１骨の関節結合表面を彫成する位置において上記骨彫成ツールを第２骨に取付ける段階と、
上記骨彫成ツールを上記第２骨の関節結合表面に係合することにより上記第１骨の関節結合表面を彫成する段階と、
上記第１骨の上記関節結合表面に置き換わるインプラントを配備する段階と、
上記第１骨の上記関節結合表面を上記インプラントで置き換える段階とを備える、
第２骨に対して所定様式にて通常的に関節結合する第１骨の関節結合表面を置き換え且つ第２骨の関節結合表面を置き換える方法。
【請求項１１７】
該方法は、前記第２骨の一部を切除して該第２骨に切除キャビティを配備する段階を更に備え、且つ、
上記第２骨に対して前記骨彫成ツールを取付ける前記段階は、上記骨彫成ツールを上記切除キャビティ内に位置決めする段階を含む請求項１１６記載の方法。
【請求項１１８】
前記第２骨の一部を切除する前記段階は、上記第２骨内に直接的に切削ミルを前進させる段階を含む請求項１１７記載の方法。
【請求項１１９】
該方法は、取付部材を配備する段階を更に備え、
前記骨彫成ツールを前記第２骨に取付ける前記段階は、上記骨彫成ツールを上記取付部材に取付ける段階と、上記取付部材を上記第２骨に取付ける段階とを包含する請求項１１６または１１７に記載の方法。
【請求項１２０】
前記第１骨の前記関節結合表面を彫成する前記段階は、前記各骨の一方を他方に関して関節運動させる段階を含む請求項１１６〜１１９の少なくとも１項に記載の方法。
【請求項１２１】
前記第１骨用インプラントは複数の構成要素を備える請求項１１６〜１２０の少なくとも１項に記載の方法。
【請求項１２２】
前記第１骨用インプラントの各構成要素は内面および外側面を有し、
上記内面は複数の可撓セグメントから成り、且つ、
上記第１骨用インプラントの各構成要素を前記第１骨切除部内に載置する前記段階は、上記第１骨切除部に沿い硬化可能流体を配備する段階と、該硬化可能流体が硬化するのを許容する段階とを更に含む請求項１２１記載の方法。
【請求項１２３】
前記第１骨切除部の形状に沿い前記第２骨用基板が前記可撓セグメントを成形する如く、上記第１骨に関して上記第２骨を関節運動させる段階を更に備えて成る請求項１２１記載の方法。
【請求項１２４】
第２骨用基板を配備する段階と、前記第２骨の前記関節結合表面を該第２骨用基板で置き換える段階とを更に備えて成る請求項１１６〜１２３の少なくとも１項に記載の方法。
【請求項１２５】
前記第１骨用インプラントおよび前記第２骨用基板の各構成要素を関節腔の境界内で接合する段階を更に備えて成る請求項１２３記載の方法。
【請求項１２６】
前記接合段階は、前記第１骨用インプラントおよび前記第２骨用基板の各構成要素を関節腔の境界内で整列かつ配向する段階を更に備えて成る請求項１２５記載の方法。
【請求項１２７】
前記骨彫成ツールを前記第１骨と整列する段階を更に備えて成る請求項１１６記載の方法。
【請求項１２８】
前記第２骨に取付けられるべく構成された衝撃デバイスを備える衝撃装置を配備する段階と、
上記衝撃装置を上記第２骨に取付ける段階と、
前記インプラントを上記衝撃装置上に載置する段階と、
前記第１骨および上記第２骨により反動される力を上記インプラントに与えることで該インプラントを上記第１骨に対して固定する段階とを更に備えて成る請求項１１６または１２７に記載の方法。
【請求項１２９】
視覚化装置、潅流装置および吸引装置を含む監視デバイスにより前記関節結合表面の置き換えを監視する段階を更に備えて成る請求項１１６、１２７、１２８の何れか１項に記載の方法。
【請求項１３０】
前記潅流装置および前記吸引装置を用いて骨破片および血液の部位を清浄化する段階を更に備えて成る請求項１１６、１２７、１２８の何れか１項に記載の方法。
【請求項１３１】
外科的索行システムによる、骨調製、インプラントの位置決め、整列および監視の各段階を更に備えて成る請求項１１６、１２７、１２８の何れか１項に記載の方法。
【請求項１３２】
外科的索行システムにより前記衝撃デバイスを位置決め、整列および監視する各段階を更に備えて成る請求項１２８記載の方法。
【請求項１３３】
前記骨彫成ツールを前記第１骨に取付ける前記段階は、上記骨彫成ツールを大腿骨に取付ける段階を備え、
上記骨彫成ツールを前記第２骨に整列させ且つ上記第２骨の関節結合表面を彫成する前記段階は、上記骨彫成ツールを寛骨臼内に載置する段階および寛骨臼の関節結合表面を彫成する段階を備え、
前記衝撃装置を上記第１骨に取付ける前記段階は、上記衝撃装置を大腿骨に取付ける段階を備え、且つ、
前記インプラントに力を与える前記段階は、寛骨臼および大腿骨により反動される力を寛骨臼用シェルに与えて該寛骨臼用シェルを寛骨臼に固定する段階を備える請求項１２８記載の方法。
【請求項１３４】
衝撃デバイスを配備する段階と、
上記衝撃デバイスを第１骨に取付ける段階と、
上記衝撃デバイス上にインプラントを載置し且つ該インプラントを第２骨に整列させる段階と、
上記第２骨および上記第１骨により反動される力を上記インプラントに与える段階とを備える、
第１骨と関節結合する第２骨に対してインプラントを固定する方法。
【請求項１３５】
力を与える前記段階は起動サイクル毎に１回実施される請求項１３４記載の方法。
【請求項１３６】
力を与える前記段階は起動サイクル毎に複数回実施される請求項１３４記載の方法。
【請求項１３７】
外科的索行システムにより前記寛骨臼用シェルを位置決め、整列かつ監視する各段階を更に備えて成る請求項１３４記載の方法。
【請求項１３８】
外科的索行システムにより前記衝撃デバイスを位置決め、整列かつ監視する各段階を更に備えて成る請求項１３４記載の方法。
【請求項１３９】
前記衝撃デバイスを第１骨に取付ける前記段階は、上記衝撃デバイスを大腿骨に取付ける段階を備え、
上記衝撃デバイス上にインプラントを載置し且つ該インプラントを前記第２骨に整列させる前記段階は、上記衝撃デバイス上に寛骨臼用シェルを載置し且つ該寛骨臼用シェルを寛骨臼内に位置決めする段階を備え、且つ、
上記インプラントに力を与える前記段階は、寛骨臼および大腿骨により反動される力を上記寛骨臼用シェルに与える段階を備える請求項１３４記載の方法。
【請求項１４０】
前記衝撃デバイスを大腿骨に取付ける前記段階は、上記衝撃デバイスを直接的に大腿骨に取付ける段階を含む請求項１３９記載の方法。
【請求項１４１】
前記衝撃デバイスを大腿骨に取付ける前記段階は、上記衝撃デバイスを間接的に大腿骨に取付ける段階を含む請求項１３９記載の方法。
【請求項１４２】
前記衝撃デバイスを大腿骨に取付ける前記段階は、上記衝撃デバイスを大腿骨試作物に取付ける段階および該大腿骨試作物を大腿骨内に載置する段階を備える請求項１４１記載の方法。
【請求項１４３】
前記衝撃デバイスを大腿骨に取付ける前記段階は、上記衝撃デバイスをブローチに取付ける段階および該ブローチを大腿骨内に載置する段階を備える請求項１４１記載の方法。
【請求項１４４】
前記衝撃デバイスを大腿骨に取付ける前記段階は、上記衝撃デバイスを大腿骨インプラントに取付ける段階および該大腿骨インプラントを大腿骨内に載置する段階を備える請求項１４１記載の方法。
【発明の詳細な説明】
【背景技術】
【０００１】
足首関節(ankle)、膝関節(knee)、股関節(hip)または肩関節(shoulder)などの関節(joint)は概略的に、相互に対する関係を維持する比較的に堅固な２個以上の骨性構造(bony structure)から成る。各骨性構造間に張り亙る柔軟組織構造は各骨性構造を一体的に保持すると共に、一方の骨性構造に対する他方の骨性構造の動作の規定を助力する。たとえば膝関節において、夫々の骨性構造は脛骨(けいこつ)および大腿骨である。靱帯、腱、半月板および包などの柔軟組織は、脛骨および大腿骨に対する支持を提供する。関節結合軟骨組織(articular cartilage)から成る円滑で弾性的な表面は、各骨性構造を覆う。骨性構造の関節結合表面は柔軟組織構造と協力して作用し、各構造間の動作の包絡面(envelop)を画成するメカニズムを形成する。典型的な動作の包絡面内において、各骨性構造は相互に関して所定パターンで運動する。完全に関節運動されたとき、その動作は各骨性構造間の動作の全体的包絡面を画成する。膝関節において、関節に張り亙る柔軟組織構造は横方向平面において膝関節を安定化する傾向がある。この横方向の安定性により、各骨性構造は整然とした様式で相互上で摺動かつ回転し得る。
【０００２】
関節結合表面は、該表面を損傷させる種々の疾患、偶発的状況などに晒される。関節の一般的な障害は、変性関節炎(degenerative arthritis)である。変性関節炎は、関節の漸進的な痛覚、膨潤および硬化を引き起こす。関節炎プロセスが進展するにつれて関節表面は摩耗し、関節に対して安定性を提供する周囲の柔軟組織の収縮に帰着する。関節炎から帰着する関節結合表面の変化により、安定性は低下して関節の平行移動が大きくなる。
痛みのある関節結合骨表面の治療は、特に関節結合表面に対する損傷の深刻さと、患者の年齢および概略的な身体の強靱さとに依存する。最終的な結果は一般的に関節置換手術を必要とし、その場合に関節の関節結合要素は一般的に、超高分子量ポリエチレン(UHMWPE)から作成された部分と関節結合すべく金属から作成された部分を備える人工要素により置換される。
【０００３】
中程度乃至深刻な膝部関節の変性を有する比較的に若年の患者は、多くの場合に薬剤療法により治療される。薬剤療法は痛覚の一時的な緩和を提供し得るが、結果的な変形および機能低下を伴う疾患の進展により、最終的には手術が必要とされる。非ステロイド系の抗炎症性薬剤、コルチゾン注入および関節鏡式壊死組織切除などの代替的な治療も同様に、症状の一時的な緩和を提供するのみである。
【０００４】
たとえば大腿骨の遠位端における顆(condyle)が、研磨済金属顆を有する人工器管(prosthetic device)により相当に置換され且つ脛骨プラトーが、金属構成要素により支持され得るプラスチック担持部により置換される場合などの深刻な状況において、骨の関節結合表面全体は人工的表面により置換され得る。関節置換手術は、痛覚を軽減して関節の機能を回復する実績のある有効な方法となっている。
【０００５】
関節置換手術において各構成要素を受容する関節の関節内剛性要素を調製する現在の方法は、相当の外科的露出を伴う。この露出は、引き続き人工表面により置換される軟骨組織を切削もしくは除去する鋸、工具および他の切削デバイスならびに他の器具の使用を案内する切断用ブロック(cutting block)と共に、関節上にもしくは関節内に載置されまたは関節に対して取付けられる案内要素の導入を許容するに十分とされねばならない。膝部関節の置換に対して大腿骨の遠位端は、全てが人工器管を受容する目的で、大腿骨の丈に対して概略的に平行で平坦な前部および後部表面と、該前部および後部表面に対して直交する平坦な端部表面と、上記の各表面を結合すべく角度付けされた平坦表面とを有すべく彫成(sculp)され得る。全体的な股関節置換に対しては、球状リーマにより寛骨臼関節結合表面および軟骨下骨が除去され、大腿骨骨頭が揺動鋸により切除され、且つ、近位骨髄管はブローチ(broach)により形状化される。全体的な股関節置換に伴う困難性は、処置の侵襲性により相当の術中血液喪失および膨大なリハビリテーションを引き起こすことである、と言うのも、大腿骨を可動化して寛骨臼窩の露出およびそれへのアクセスを得るためには近位大腿骨から筋肉および腱が離脱されねばならないからである。
【０００６】
膝部関節の例を用いると、関節の完全置換は、通常の脛骨の担持表面を擬態すべく概略的に上方に向けられた担持表面を有すると共に大腿骨人工器官の顆表面と関節結合すべく設計された人工器官を受容するために、脛骨の基端を彫成する必要もある。典型的にこの手術は、骨の調製は肢の正しい整列と一致し且つ各部分は前頭位置(coronal position)および矢状位置(sagittal position)の両方において正しく配向される如く、切断用ブロックを配向する器具もしくは案内要素により実施される。上記案内要素は露出された骨上に載置されると共に、その骨の解剖学的箇所を概略的に基準とすることで切除平面を確立する。たとえば全体的膝関節置換では、たとえば骨髄内腔と顆上軸心および後部顆軸心とを基準とすることにより、関節形成用案内要素が用いられる。
【０００７】
上記で言及された形式の膝部関節人工器官は公知であると共に、たとえばカスパリ等(Caspari et. al.)の米国特許第５,171,244号、第５,171,276号および第５,336,266号、ブラウン(Brown)の米国特許第４,892,547号、バースタイン等(Burstein et al.)の米国特許第４,298,992号、および、インソール等(Insall et. al.Iの米国特許第6,068,658号に記述されている。
【０００８】
膝部関節置換においては、顆に対して適切な度合いの曲率を提供すべく相当の尽力が為されてきた。たとえば先に言及した米国特許第５,171,276号、第４,298,992号および第6,068,658号は、大腿骨人工器官の顆の前後方向における曲率の半径は、顆の前部の近傍の方が後部の近傍よりも幾分か大きくされ得ることを示している。またケスター等(Kester et al.)の米国特許第５,824,100号は、顆のこの曲率の一部が、大腿骨上における外側および内側の各側副靭帯の取付箇所間の間の直線に沿う原点を有する一定半径の回りに形成され得ることを教示している。
【０００９】
歴史的には、種々のモジュール式人工関節インプラントが開発された。モジュール式インプラントに関する以下の記述は、特に膝関節に関している。多心式膝関節インプラントと称された膝関節インプラントに対する初期の設計態様は、内側および外側の区画に対する別体の構成要素により開発された。付加的に、所定位置に比較的に堅固に保持されるポリエチレン・インサートを有するモジュール式の担持部固定膝関節インプラントが開発された。代替的に、担持部可動の膝関節インプラントがあり、その場合にはポリエチレン担持部が脛骨用基板上において最小限の拘束でもしくは拘束なしで摺動もしくは運動すべく設計される。更に、金属製の脛骨用基板上に存在する別体のポリエチレン製担持部または単一のポリエチレン製担持部のいずれかを含む、半月板担持部および固定担持部の関節インプラントの両者が開発された。脛大腿関節の内側および外側上に固定担持要素もしくは可動担持要素を備えたインプラント・システムが開発される一方、脛大腿関節の一方側上の固定担持部と他方側上の可動担持部との組み合わせを有するシステムは開発されていない。
【００１０】
可動担持部式脛骨インプラントは、膝関節の関節形成術の大腿骨側に対して更に適合して構成されることから、接触応力は更に小さくなる。結果的に小さな接触応力は、担持材料の降伏強度を超えたときに一定の固定担持部設計態様が遭遇することもある損傷の可能性を減少する。概略的に固定担持部のインプラント設計態様は可動担持部設計態様よりも、適切に整列して平衡化する上で困難性が少ない。可動担持部設計態様は多くの場合、担持表面の接触応力と結果的な摩耗とを減少する上で望ましい。しかし可動担持部設計態様によれば、担持部がインプラントから外れる可能性がある。付加的に可動担持部膝関節設計態様は植設する上で、固定担持部設計態様よりも手術的に厳しいものである。
【００１１】
内側区画に対する固定担持部インサートと外側区画に対する可動担持部インサートとの組み合わせは特に魅力的である、と言うのも、外側大腿顆は外側脛骨プラトー上で10〜20ミリメートルも後方に後退するが、内側顆は数ミリメートルしか移動しないからである。可動担持部インサートは外側顆の後退に適応するが、内側顆に対しては必ずしもそうでない。
【００１２】
現在における関節置換手術には、２つの主な困難性が存在する。これらは、処置の侵襲性と、その際の骨性構造と人工器官との適切な整列の達成に関している。斯かる困難性は、足首関節、膝関節、股関節および肩関節などの全ての全体的関節置換に存在する。現在の関節置換手術における困難性の一般的な例として、全体的膝関節および全体的股関節の関節形成術が記述される。
【００１３】
整列：別体的な大腿骨および／または脛骨用構成要素のいずれかを有するモジュール式および非モジュール式の膝関節インプラントの両者を植設するのに伴う困難性は、各構成要素間の正しい関係を達成することである。今日まで入手可能な手術器具は、大腿骨および脛骨が正確な構成要素間配向で調製されるという複数部分を有するインプラントを植設する上でトラブルの無い用法を提供していない。整列案内要素は長骨の軸心に対する各構成要素の正確な配向を助力して正しい脛大腿整列(通常は４〜７°の外反)の回復を達成する一方、それらは、正しい構成要素間整列、および／または、整列を回復するための靱帯張力に対する適切な位置決めまたは案内が制限されている。
【００１４】
関節を介して担持表面を剪断力ではなく圧縮力に委ねるべく、結果的な力に対してはインプラントを直交して配向するのが好適である。更に、インプラントの各構成要素は好適には、摩耗を最小化すべく相互に対して配向される。もしインプラントが支持骨に関して正しく配向されなければ、合併症が生じ得る。もしインプラントが機械的軸心に対し直交して載置されなければ、インプラントと骨との間には剪断力が発生し、インプラントの緩みに繋がり得る。
【００１５】
適切に整列された膝関節において、脚部の機械的軸心(股関節部の中心から足首関節の中心に引いた直線)は膝関節の中心の僅かに内側を通過する。この整列は概略的に、脚部の総体的整列(gross alignment)と称される。各インプラントの整列は、脚部の総体的整列に影響する。もし各インプラントが不正整列されると、結果的な機械的軸心は内側にもしくは外側にシフトされ、内側顆もしくは外側顆により担持される負荷の不均衡に帰着し得る。この不均衡がもし深刻であると、インプラントの早期の破損に繋がり得る。
【００１６】
これに加え、片顆および双顆のインプラントによる、たとえば第２および／または第３の大腿骨用構成要素に対する大腿骨用構成要素の配向、別体の第２脛骨用構成要素に対する脛骨用構成要素の配向、および、対応する脛骨用構成要素に対する大腿骨用構成要素の配向などの、相互に対する各構成要素の配向はそれほど対処されていない。これは、一定の臨床的研究により例証される如く、全体的膝関節インプラントに対する初期の双顆設計態様の大きな故障率(failure rate)、ならびに、片顆インプラントの大きな故障率を考慮しているのかも知れない。双顆および片顆の設計態様を考慮するときに他の部分に対する各部分の整列は、各構成要素の不正関節結合による摩耗の加速を回避するために重要である。
【００１７】
患者に対しては種々の人工器管が好結果で使用されてきたが、たとえば膝部関節における各顆などの、人工器官の関節結合表面の形態および位置は、選択される人工器官に基づき事前決定される。適切な人工器官の選択およびサイズにより各患者の必要性に対して人工器官を適合調整すべく尽力されてはきたが、これは実際には問題が多い、と言うのも、各患者の関節の生理機能は患者毎に相当に異なり得るからである。
【００１８】
侵襲性：骨の関節結合表面を適切に彫成すべく、多くの場合には関節を外科的に露出することが必要である。習用の膝部関節置換における大腿骨の場合、膝部関節の膝蓋骨腱は外科的に露出されると共に関節の一側へと移動され、関節に対する実質的に完全な前部アクセスを可能とする。各構成要素の容積および幾何学形状、ならびに、骨調製のための器具を収容すべく、外科的露出が必要とされる。斯かる外科的露出は出血、痛覚および筋阻害を増大させ；その全ては、患者が安全に家庭もしくは中間医療施設に送られ得る前の更なる長期入院の一因となる。
【００１９】
相当の関節置換が実施される場合には膝十字靭帯の除去もしくは離脱が必要とされることが多いが、膝関節置換手術の場合には側副靭帯も膝十字靭帯も阻害されないことが望ましい。側副靭帯は、関節置換手術と協働して患者の膝関節に対する適切な張力調節を提供すべく、部分的に取り払われ又は離脱され得る。殆どの場合において斯かる離脱は、膝関節の関節形成術に対して歴史的に使用されてきた標準的な正中もしくは内側準膝蓋骨の切開よりも小寸の切開により達成され得る。
【００２０】
損傷された関節内組織を除去して修復するためには、関節鏡手術が利用可能であり且つ有用である。(関節結合表面が円滑化されたりたとえば軟骨組織が修復されるべきときには)関節鏡処置は非常に侵襲性が低く且つ僅かな外科的修復に対しては好首尾なことも多いが、斯かる処置は概略的に、相当の関節置換に対しては適切でない。それは概略的に、人工インプラントによる関節表面の置換に対しては不適切である。
【００２１】
単一区画的な全体的関節置換などの習用の外科的処置は歴史的に、相当の外科的露出、ならびに、長期の病院滞在およびリハビリテーションを必要とした。更に最近では、膝蓋骨の転位を必要としない小寸切開により、片顆膝部関節の置換処置が実施されている。痛覚は減少して膝関節機能の回復は更に迅速なので、病院滞在の長さは短くなり且つ強力な麻酔投薬は低減される。また斯かる利点は、患者に対して二区画および三区画による膝関節の関節形成術により実現するのが望ましい。
【００２２】
膝関節におけるのと同様に、習用の全体的な股関節の関節形成術は股関節部の痛覚的関節炎に対して示される。この処置は、大寸の切開を介して股関節部を露出することで、外科医に対して股関節部および寛骨臼領域の完全視覚化を提供すると共に外科用動力式器具に対するアクセスを提供する。股関節部の骨性構造を適切に調製すべく、関節に張り亙る主要筋肉は一般的に分断され、関節の適切な露出が得られる。上記処置の各段階は、大腿骨骨頭を除去する段階に続き、近位大腿骨管を拡孔かつ穴刳りして股関節用ステムを支持する骨性表面を調製する段階を含む。上記ステムは植設されると共に、骨性内方成長に対して所定位置にセメント固定されるか圧力嵌めされ得る。寛骨臼は典型的に、出血骨まで軟骨組織を除去すべく半球リーマを用いて調製される。寛骨臼が調製されたなら寛骨臼用構成要素は、骨性内方成長に対して所定位置にセメント固定されるか圧力嵌めされることで植設される。６〜１２インチの長さとされ得る外科的露出は、近位大腿骨内へと挿入される筋肉の離脱物と共に、股関節部を囲繞する柔軟組織に対する膨大な損傷に帰着し得る。
【００２３】
調製された骨性表面は技術的には、寛骨臼窩、大腿骨の大腿管および骨幹端領域と称される。調製された空間内に最終的なインプラントを載置するに先立ち、近位大腿骨内には試行的な大腿骨骨頭および頚部と共に、一定のシステムにおいてはブローチとされ得る大腿骨試作物が載置され且つ寛骨臼内には寛骨臼試作物が載置されることで、最終的な全体的股関節インプラントの載置に先立ち動作の試行範囲と股関節安定性の評価が促進される。
【００２４】
柔軟組織の損傷を最少化すると共に術後リハビリテーションを促進するという最少侵襲的な全体股関節形成術を可能とするシステムが必要とされる。更に、最少侵襲的な技術は本来的に手術部位の観察を制限し、調製済骨性表面の視覚化を阻害することから、調製済骨性表面の検査に対するデバイスも必要とされる。手術処置の間においては骨破片および血液が手術部位に集結するので、寛骨臼を視覚化するためには時的に除去する必要がある。寛骨臼の調製の後、寛骨臼用構成要素が植設される。現在では、セメント固定されたUHMWPEカップ、セメント固定もしくは圧力嵌めされたUHMWPE付き金属シェル、金属、または、セラミック担持部ライナなどの種々の寛骨臼用構成要素が用いられている。典型的に、圧力嵌めシェルを載置するには、インプラントを支持骨内に完全に着座させるべく衝撃力が必要である。但し、寛骨臼インプラントを適切に着座させて安定化させる力の適切な配向および付与に対し、最少侵襲的な切開のサイズおよび箇所は最適でないこともある。故に、全体股関節形成術に対して最少侵襲的露出と共に使用されるべく股関節を切り詰めもしくは関節結合させ乍ら寛骨臼用構成要素の衝撃を許容する衝撃デバイスが必要とされる。関節表面を調製してインプラントを位置決めすべく、外科的索行システムを用いるのが望ましいこともある。
【００２５】
関節が全体的関節置換を要するほどには損傷もしくは罹患していない患者を含め、関節結合表面の置換を要する患者に対しては、関連筋肉、靱帯もしくは腱に対してそれほどの損傷もしくは傷害が一切無い様に、関節結合する関節表面に対して外科的アクセスを行い、骨性構造を適切に調製し、たとえば金属もしくはプラスチックなどの人工的な関節結合担持表面を配備し、且つ、手術部位を閉成すべく採用され得る外科的方法および装置を提供することが望ましい。この目標を達成するには、最少侵襲的な装置および処置を用いて関節の関節結合表面を適切に彫成し得るシステムおよび方法が必要とされる。
【発明の開示】
【発明が解決しようとする課題】
【００２６】
本発明は、個々の患者の関節運動特性を回復するインプラント・システムを含め、最少侵襲的な手術処置を包含する全体的関節置換に対するシステムおよび方法を提供する。開示される器具およびインプラントは、限られた外科的露出により、正確な骨および柔軟組織の調製、インプラント配向およびインプラント固定を達成する。
【課題を解決するための手段】
【００２７】
故に一実施例において本発明は、第２骨に対して通常的に関節結合する第１骨の関節結合表面を適切に彫成し且つ人工器管を植設する方法を提供する。上記方法は、第１骨の関節結合表面に対して骨彫成ツールを骨彫成係合し乍ら該骨彫成ツールを第２骨に対して直接的もしくは間接的に取付ける段階と、関節を切り詰め乍ら且つもし必要性が示されたならば一方の骨を他方の骨に関して移動し乍ら上記第１骨の上記関節結合表面を彫成する段階とを包含する。選択的に上記骨彫成ツールは、上記第２骨に直接的もしくは間接的に取付けられる取付部材に取付けられ得る。一定の状況においては、手術の間に上記第１骨を上記第２骨から伸延することが望ましいこともある。上記骨彫成ツールはまた、骨の骨髄管内に植設されたステム、試作物、リーマもしくはブローチに対して直接的もしくは間接的に取付けられまたは一体的とされる骨用取付部材に対しても取付けられ得る。
【００２８】
膝部関節置換に対して上記インプラント・システムは、関節の制約に対する術中の外科的選択肢を提供するインプラントおよび機器装備であって個々の患者の解剖学的構造により定義される運動特性を回復すべく膝関節の適切な整列および配向を促進するインプラントおよび機器装備を備える。その様にするために上記インプラントは、膝関節の各区画(内側脛大腿関節、外側脛大腿関節および膝蓋大腿関節)に対する固定もしくは可動担持構成要素の選択を介して種々の度合いの関節安定性を復元する外科医の術中選択肢を提供する。一連のインプラントは、膝関節の唯一個の区画もしくは各区画を網羅し得ると共に、固定および可動担持部構成の組み合わせを含み得る。
【００２９】
習用の全体的膝関節置換において、大腿骨用構成要素は概略的に単一片であり且つ脛骨用構成要素は単一片である。本発明において大腿骨側は２個もしくは３個の構成要素により表面再形成され得ると共に、脛骨側は２個の構成要素もしくは単一片により表面再形成され得る。上記各構成要素は、関節の境界内において相互に整列且つ／又は結合され得る。選択的に、大腿骨側の構成要素は複数の可撓セグメントを備え得る。
【００３０】
インプラント構成要素の適切な整列および位置決めは、患者特有であるインプラントの整列および配向に対して骨切除部を案内すべく膝関節の柔軟組織構造を利用する機器装備により促進される。支持骨に関する上記インプラントの整列は、支持骨の解剖学的整列の回復もしくは改善に関する。支持骨に関するインプラントの配向は、２つの点において重要である。第１に、支持骨に関するインプラント構造の配向は、インプラントを介して伝達される力が骨性支持表面に対して概略的に直交しもしくは直角的となる如きものである。第２に、各インプラント構成要素の相互に関する配向は、大腿骨の関節結合表面を復元する各モジュール式構成要素が大腿骨側上の他のモジュール式構成要素と適切に整列することでインプラント構造の適切な軌跡追随を確実にする如きものである。同様に、脛骨の関節結合表面を復元する各モジュール式構成要素は脛骨側で他のモジュール式構成要素と適切に整列することでインプラント構造の適切な軌跡追随を確実とする。上記手術機器装備は単一の基準点から滑膜性関節の関節結合表面を調製することで、内側および外側脛大腿区画、ならびに膝蓋大腿区画に対して別体の各構成要素を正確な配向にて導入することを許容する。故に上記機器装備は、斯かる整列および配向の要件に従う骨切除部を提供する。上記位置決めは、膝部関節の解剖学的整列の適切な復元と、相互に対する各構成要素の適切な配向とに対して重要である。
【００３１】
関節の関節結合表面の成形もしくは彫成に関し、本発明の上記方法によれば関節結合骨表面は、関節の生来の接合を可及的に復元すべく各患者の個々の生理機能に従い彫成され得る。この方法においては関節の各骨の一方に対して骨彫成ツールが取付けられると共に、関節が関節運動されるにつれて上記ツールは他方の骨の関節結合表面を彫成する。
【００３２】
故に一実施例において本発明は、第２骨に通常的に関節結合する第１骨の関節結合表面を適切に彫成する方法を提供する。上記方法は、骨用取付部材に取付けられた骨彫成ツールを備える装置を配備する段階と、上記第１骨の関節結合表面に対して上記ツールを骨彫成係合させ乍ら上記取付部材を上記第２骨に対して堅固に取付ける段階と、次に各骨の一方を他方に対して関節運動させることで上記関節結合表面を彫成する段階とを包含する。
【００３３】
一定の状況においては、術前にまたは手術の間に上記第１骨を第２骨から伸延させるのが望ましいこともある。故に、上記装置と共に伸延器が配備され得る。膝部関節置換において、彫成処置の間に大腿骨と脛骨との間に提供される伸延力は、関節結合表面から摩滅した物質を相殺する。伸延力を用いると、関節の通常的整列が概略的に再確立される。骨彫成器具による関節表面の調製に先立ち、または、関節表面の調製に続き、整列を復元すべく靱帯離脱が実施され得る。付加的に、関節の動作の範囲および患者の運動特性を評価すべく、術前に伸延器が使用され得る。
【００３４】
別実施例において本発明は、第２骨に対して所定様式にて通常的に関節結合する第１骨の関節結合表面を彫成する装置を提供する。上記装置は、骨彫成ツールと、上記第２骨に堅固に取付可能な取付部材と、上記彫成ツールを上記取付部材に取付ける調節可能取付具であって上記第２骨が上記第１骨に関して関節運動されるにつれて上記関節結合表面が彫成される如く上記ツールの位置および配向を上記関節結合表面に対する骨彫成近傍へと調節し得る調節可能取付具とを備える。代替的に複数の骨彫成ツールが使用され得るが、その場合に各ツールは複数のツールを支持すべく個々の取付部材上にまたは単一取付部材上に位置される。
【００３５】
本発明はまた、第１骨および第２骨の間における関節の各表面に置き換わるインプラントも提供する。該インプラントは、最少侵襲的切開に適合貫通すべく特に設計されると共に、固定および可動担持部インサートもしくは部品の任意の且つ全ての組み合わせを取入れる。手術処置は好適には最少侵襲的切開を通して実施されることから、上記インプラントは斯かる切開を適合貫通し且つ関節内で配向もしくは結合されるべく設計される。
【００３６】
膝関節置換手術の場合に上記インプラントは、第２骨用基板および第１骨用インプラントを含む。上記第２骨用基板は、関節に関して第２骨の調製済表面の殆どを覆う単一片か、または、可動および固定の担持用人工構成要素と共に用いられる別体の各基板とされ得る。これに加えて上記第２骨用基板は、別体の固定および可動担持部インサートを収容し得る。第１骨用インプラントは、第１骨の担持表面に置き換わる複数の構成要素から成る。選択的に、上記第１骨用インプラントの一部は所定位置において結合された複数の可撓セグメントから構成され得る。斯かる構成によれば、各可撓セグメントを適切な位置にて成形すべく、第１骨に対する第２骨の関節結合が許容される。
【００３７】
故に、更なる実施例において本発明は、第２骨に対して通常的に関節結合する第１骨の関節結合表面を適切に置き換える方法を提供する。上記方法は、骨用取付部材に取付けられた骨彫成ツールを備える装置を配備する段階と、上記第１骨の関節結合表面に対して上記ツールを骨彫成係合させ乍ら上記取付部材を上記第２骨に対して堅固に取付ける段階と、次に各骨の一方を他方に対して関節運動させることで上記関節結合表面を彫成する段階とを包含する。更に、上記関節結合表面は適切な最少侵襲的インプラントにより表面再形成され、その場合に各インプラントは関節腔の境界内において接合される。一実施例においては、上記第１骨の一部を表面再形成すべく複数の可撓セグメントが配備される。上記各可撓セグメントは、上記第１骨の切除済表面に沿い接着剤で固着される。
【００３８】
特に、たとえば膝部関節置換において、本発明は大腿骨および脛骨の各表面を置き換えるべく使用され得る。故に、複数の構成要素を有する大腿骨インプラントと、脛骨用基板とが配備される。上記脛骨用基板は、固定担持部取付具ならびに可動担持部取付具を有し得る。
【００３９】
全体的股関節部置換に適用されたときに本発明は、最小切開を介し、且つ、股関節の回りにおける筋腱構造の最小限の分断により大腿骨および寛骨臼の各表面を置き換えるべく使用され得る。最少侵襲的な全体的股関節処置に対する典型的な切開は、２〜４インチの長さである。尚、患者の生理機能、外科医の選好性および／または他の要因により一定の変形例があり得るものであり；述べられた範囲は例示的であり限定的ではない。小寸の切開に加え、関節包に接近するには特定の筋肉を断面切断するのではなく各筋肉群間の組織を分離することにより注意が払われる。
【００４０】
全体的股関節置換においては、寛骨臼の調製に続き、圧力嵌めシェルなどの寛骨臼用構成要素が植設される。寛骨臼の支持骨内に圧力嵌め式の寛骨臼用構成要素を完全に着座させるために、股関節を切り詰めもしくは関節結合させ乍ら寛骨臼用構成要素の衝撃を許容する衝撃デバイスが提供される。上記衝撃デバイスと共に、上記寛骨臼用構成要素を位置決めする外科的索行システムが使用され得る。
【００４１】
上記最少侵襲的処置において股関節は、転子窩を露出するに適切な切開であって大腿骨頚部の切除と大腿骨の骨頭および頚部セグメントの除去とを許容する切開を介してアクセスされる。大腿管は、転子窩および転子領域を介してアクセスされる。一連の拡孔および穴刳り段階により大腿骨インプラントを受容するために近位大腿骨を調製すべく、当業者に公知のリーマ、ラスプおよび他のデバイスが用いられる。調製されたなら、大腿骨頚部および転子領域の骨髄内管および保持領域は、寛骨臼を調製するMIAR(最少侵襲的寛骨臼用リーマ)を支持すべく用いられる。
【発明を実施するための最良の形態】
【００４２】
膝部関節の解剖学的構造および外科的手法：図１は、膝部関節の概略的な解剖学的構造を示している。大腿骨10はその膝部関節の関節結合表面上に、外側大腿顆12および内側大腿顆14を有する。脛骨16はその膝部関節の関節結合表面上に、(概略的に外側大腿顆12に対向する)外側半月板22および(概略的に内側大腿顆14に対向する)内側半月板20を有する。各靱帯は、前部膝十字靭帯24、後部膝十字靭帯28、内側側副靭帯26および外側側副靭帯27を含む。内側脛骨顆30および外側脛骨顆32は半月板20および22を支持する一方、これらの半月板は大腿骨10を支持する。付加的に、脛骨16に対しては腓骨34が係合する。
【００４３】
典型的に全体的膝部関節置換は、外側大腿顆12、内側大腿顆14、内側脛骨顆30および外側脛骨顆32の各関節結合表面を置換する段階を包含する。外側半月板22および内側半月板20は除去される。望ましくは、側副靭帯26および27も膝十字靭帯24および28も阻害されない。但し、関節置換が完了された後に患者の膝関節に対する適切な張力調節を提供すべく、側副靭帯26および27は部分的に取り払われることもある。
【００４４】
図２は、全体的膝関節置換手術に対する習用の正中切開40を示している。切開40は、大腿骨と脛骨との間の関節結合表面の実質的に上下に垂直に延在する。典型的に該切開は、長さが約8〜15センチメートルである。切開40は、膝蓋骨を亜脱臼もしくは転位させて膝部関節の関節結合表面全体を露出するに十分なほど大寸とされねばならない。しかも上記切開は、大腿骨の端部、脛骨の頂部および膝蓋骨の下側表面を完全に覆う各構成要素の挿入に適応せねばならない。植設される各構成要素の最大数は、外側脛大腿区画に対する大腿骨用構成要素および脛骨用構成要素、内側脛大腿区画に対する大腿骨用構成要素および脛骨用構成要素、ならびに、膝蓋大腿関節に対する大腿骨用構成要素および膝蓋骨用構成要素を含む。代替的に、外側大腿顆および膝蓋骨溝は共通インプラントにより覆われても良い。
【００４５】
図３に見られる如く、膝部関節に沿い水平に延在する横方向切開42は、本発明の処置に対するひとつの選択肢である。切開42は、膝蓋骨を転位させずに内側脛大腿区画および外側脛大腿区画の各関節表面を露出すべく垂直に開成され得る。これにより、処置の間において膝蓋骨は大腿骨と接触して維持される。機器装備ならびにインプラントの各構成要素は最少侵襲性に対して寸法設定されることから、小寸切開により収容され得る。更に小寸の切開から帰着する少ない損傷は概略的に更に迅速で更に良好なリハビリテーションに帰着し、これは概略的に膝関節インプラントの効力を高める。
【００４６】
図４は、本発明と共に用いられる代替的な切開形態を示している。膝蓋骨の各側には、垂直に延在する平行な２つの切開44および46が夫々形成され得る。これらの切開44および46は比較的に短寸であり、且つ、侵襲性は図３の水平切開のそれと同様である。各切開44および46は関節包を別体的に貫通延在し、膝蓋骨を転位させずに内側および外側の脛大腿区画を露出させる。
【００４７】
機器装備：全体的膝関節置換に関する本発明の機器装備は概略的に、外側脛骨プラトーと内側脛骨プラトーとにおける脛骨の切除を必要とする。選択的に上記機器装備は遠位大腿骨を切除することで骨彫成機器装備を収容する延在空間を生成すべく使用され得る。この切除は、切除案内要素、鋸などを用いて当業者により公知の方法で行われ得る。代替的に図５に示すように、脛骨16内に切削工具43が直接的に前進され得る。切削工具43は、後部皮質壁54にてまたはその手前で停止されねばならない。図５は、図６および図７の切削工具47により脛骨プラトー内に生成されたキャビティの断面図である。
【００４８】
図６および図７に見られる如く、上記切削デバイスは案内要素49の前端に固着された単一の切削工具45とされ得る。図６および図７の切削工具45は、脛骨プラトーを調製するときに内側から外側への方向における回転軸を有する。上記切削工具の半径は、生成されるキャビティの床部と後壁との間に対応半径を残置する。
【００４９】
代替的に図８および図９に見られる如く、上記切削デバイスは複数の切削工具47を備え得る。図８および図９の切削工具47は、脛骨プラトーに生成されたキャビティの床部および後壁の間の角隅部を調製する。この様に調製された角隅部は、支持骨に対して応力を均一に分配し得る。各切削工具47は、上記キャビティの側壁と後壁との間における該工具の半径と同等の半径を生成する。斯かる半径は、脛骨インプラント設計態様により容易に適応され得る。図８および図９は複数の切削工具を有する切削デバイスを示すが、上記切削デバイスは一個の切削工具により構成され得る。
【００５０】
図１０は、概略的に51と表された脛骨プラトーに作成される骨切除部50および52の前面図である。内側脛骨顆および外側脛骨顆の適切な整列および配向を確実とすべく、内側切除部50の床部および外側切除部52の床部は好適には平行かつ共面的である。脛骨カッタを案内すべく用いられる外部ツールは、内側切除部および外側切除部の間の相対整列を提供し得る。代替的に、内側および外側切削工具47を共通平面内に拘束するヒンジにより２個の案内要素49を一体的に連結することで、脛骨プラトーにおける内側および外側キャビティは同時に調製され得る。上記外部ツールは更に脛骨プラトーの後部側に対する確定基準を提供することで、各切除部が後部皮質壁を貫通しないことが確実とされ得る。図１０において、骨切除部は概略的に矩形の断面を有して示される。但し、骨彫成ツールが取付けられ得る任意の断面が使用され得る。たとえば、弧状断面が容認可能である。
【００５１】
図１１は、脛骨16における骨切除部50および52の平面図である。プラトー内へと加工されたキャビティを備えた脛骨16の断面図は、図１２に示される。図１２に見られる如く、骨切除部50は後部皮質壁54にてまたはその手前にて停止せねばならない。
【００５２】
図１３に見られる如く脛骨を切除したなら、たとえば概略的に60とされた大腿骨カッタなどの骨彫成ツールが取付部材内に載置されると共に、脛骨に生成されたキャビティに堅固に取付けられる。“堅固な取付け”とは概略的に、関節運動(articulation)の間において上記取付部材と脛骨との間の相対運動を防止するに十分な安定性を提供することを意味する。斯かる安定性は、脛骨切除部内に上記デバイスを単に載置するだけで提供され得る。上記大腿骨カッタは、大腿骨切除を行うときに脛骨切除部50および52を基準とすべく設計される。図１３に示された一実施例において、取付部材は揺架(cradle)62であり、切除された脛骨内に設定される。揺架62内には切削要素(cutting element)64が取付けられ、可撓シャフト66は該切削要素を図１４のモータ68に接続する。上記各デバイスは、内側および外側脛骨プラトーにおける切除部50および52に嵌合する。故に、切削要素は大腿顆に対して堅固に保持され、且つ、上記デバイスの案内表面は切除の深度を設定する。選択的に、逆側の脛骨切除部内には第２切削要素が載置され得る。故にたとえば、調製された脛骨プラトー内には、一方を内側キャビティ内として他方を外側キャビティ内として２個の切削要素が載置され得ると共に、該切削要素は大腿顆を同時に切除すべく使用され得る。２個の切削要素を同時に用いるに際して各切削要素はヒンジ機構65により一体的に連結されることで、各大腿顆を調製する間に夫々の切削要素を共通平面内に更に保持し得る(図３２および図３３を参照)。
【００５３】
故にたとえば膝関節手術において上記ツールは脛骨に対して取付けられ、該ツールの彫成表面は大腿骨の顆表面、すなわち各顆の一方もしくは両方に対して係合され得る。膝部関節が関節運動(撓曲)されるにつれ、その患者の膝関節の個々の生理機能に依存し、すなわち側副靭帯、膝蓋骨腱などに依存する様式で、上記彫成ツールは適切に大腿骨の関節結合表面を彫成する。尚、本発明は全体的膝関節置換に関して記述されるが、限定的なものとしてで無く、片顆膝関節置換または同種移植関節表面置換(allograft joint surface replacement)などの様に機能を回復して痛覚を緩和すべく関節結合する関節の各表面が改変もしくは復元されるという整形外科の全体に亙り適用性があることは理解される。
【００５４】
好適実施例において膝部関節包は膝蓋骨の外側転位なしで外科的にアクセスされることから、彫成プロセスの間において膝関節の通常的な撓曲を許容する。患者の個々の生理機能ならびに患者の柔軟組織と骨との間の相互作用は、大腿骨および／または脛骨の端部から軟骨組織および骨を彫成すべく用いられるデバイスを案内すべく作用する、と言うのも、大腿骨および脛骨は膝関節に関連するからである。膝関節の例において脛骨は、膝関節を囲繞して支持を提供する靱帯および柔軟組織により制御される案内経路に沿い大腿骨の端部の回りで進行する。
【００５５】
代替的な取付形態は、工具が取付けられた外部固定具を包含する。該外部固定具は、大腿骨を彫成すべく脛骨に対して所定位置に工具を支持する任意の形態とされ得る。一例としては、該外部支持部材から延在するアームを有すると共に該アームの末端には工具が取付けられた外部支持部材が挙げられる。
【００５６】
上記骨彫成ツールは、たとえばモータなどの駆動機構により動力供給され得る。上記モータは、切削要素と一体的な電気モータ、空気圧モータまたは油圧モータとされ得る。油圧モータの場合には、可撓シャフトが不要であることを銘記されたい。上記切削要素は、手術用ドリルMidas RexおよびAnspaq高速ドリル／カッタなどの入手可能な手術用動力式器具により駆動され得る。斯かる機器は、空気圧およびバッテリ駆動形態で利用可能である。上記切削要素は代替的に、本発明に対して独自に開発された動力源により駆動され得る。たとえば上記動力源は、電気モータもしくは空気圧モータとされ得る。それはまた、無菌塩水溶液により駆動される水圧モータともされ得る。
【００５７】
塩水溶液により駆動される水圧モータの場合、図１５〜図１８に示すように該モータは切削カッタ内に取入れられ得る。上記水圧モータの翼板は選択的に、切削工具要素の回転軸の一部として加工され、または、切削工具要素の端部表面へと加工される。好適には切削デバイス55のハウジング53は、水圧モータを駆動する塩水溶液を収容するチャネル57を含む。図１５および図１６は、ハウジング53の末端におけるホィール59内に水圧モータの翼板が取入れられた実施例を示している。図１７および図１８に示すように、切削要素55のブレード61を水圧モータの翼板として機能させることも可能であり、その場合に塩水溶液は回転を強制すべく切削要素に対して導向される。
【００５８】
図１９〜図３０は、本発明と共に用いられ得る種々の切削要素の断面図である。図１９および図２０は夫々、切削要素の一実施例の端面図および側面図である。切削工具72は取付部材73内に載置されると共に、内外側方向にて回転軸と共に配向される。図３１においては、膝関節が撓曲されて脛大腿接触点が遠位に移動するにつれて大腿顆との接触を提供する複数の切削工具が示される。代替的に、膝関節撓曲の全体に亙り該切削工具が大腿顆と接触したままとなる如く、一個の切削工具が所定位置に載置され得る。一個もしくは四個の切削工具の選択肢のみが示されるが、本発明は揺架内に支持された一個以上の切削工具により実施され得る。更に上記揺架は、大腿顆に接触する滑走表面を有するショルダ71を備え得る。
【００５９】
図２１および図２２は夫々、切削要素に対する代替実施例の端面図および側面図であり、切削工具74は大腿顆に形状化切除部を提供すべく形状化される。形状化切除部が除去する骨は少なく、且つ、残存する骨は概略的に、顆において更に深い骨よりも強力である。
【００６０】
図２３および図２４に示された別実施例において、切削工具72はその回転軸を前後方向にして配向される。膝関節延伸時に、脛大腿接触点は上記切削工具の前端部の近傍である。膝関節が撓曲されるにつれ、上記接触点は後方に移動して上記切削カッタの後端部に接近する。
【００６１】
同様の様式にて図２５および図２６は、夫々の回転軸が前後方向に配向された平行な３本の切削工具76、77および78を示している。斯かる実施例は、脛骨の一回の行程もしくは撓曲において大腿顆の広範囲な切除を提供する。図２７に見られる如く内側および外側切削工具76および78は中央切削工具77よりも小径とされることで、大腿顆に生成されるキャビティの側壁と該キャビティの床部との間における更に小寸の対応半径を提供し得る。
【００６２】
図２８〜図３０に示すように大腿顆の軟骨組織および骨は、削り要素80の一回以上の行程において除去され得る。削り要素80は取付部材81の表面からオフセットされることから、脛骨の行程もしくは撓曲毎に大腿顆から所定量の骨が削られる。上記切削要素の基部内には、一個以上の削り要素が支持され得る。
【００６３】
示された機器装備を用いて大腿骨の関節結合表面は、脛骨を大腿骨に関して関節運動させることで患者の個々の生理機能に従い彫成され得る。該方法は、骨用取付部材に取付けられた骨彫成ツールを有する装置を配備する段階と、第１骨の関節結合表面に対して上記ツールを骨彫成係合し乍ら上記取付部材を第２骨に対して堅固に取付ける段階と、次に各骨を相互に関して関節運動させることにより上記関節結合表面を彫成する段階とを含む。図３１は、大腿骨10の回りにおける脛骨16の関節運動の運動特性を示している。内側および外側大腿顆の骨切除部は、カッタを脛骨に固定して脛骨を関節運動させることで行われる。大腿骨および脛骨が原状とされた場合の前部および後部の膝十字靭帯の４本のバー連結の故に、大腿骨に関する脛骨の移動はＪ曲線に従う。膝十字靭帯の一方もしくは両方が不在であると、膝関節が撓曲されるときの脛骨の移動は側副靭帯および関節包靱帯により制御される。この様に内側および／または外側大腿顆に生成された骨性支持表面は、所定患者の運動特性に対して形状化および位置決めされる。
【００６４】
患者の術前評価：関節の変形性と、関節を再整列させるために必要とされる適切な間隔とを評価すべく、X線が使用され得る。付加的に、関節の動作の範囲および患者の運動特性を評価すべく、たとえばバルーンなどのスペーサが術前に使用され得る。
【００６５】
手術の間においては各骨構造間に適切なスペーサが載置されることで、関節の適切な伸延および整列が提供される。彫成処置の間に大腿骨と脛骨との間に提供される伸延力は、関節結合表面から摩滅した物質を相殺すべく使用され得る。伸延力の使用により概略的に、関節の通常的整列が再確立される。斯かるスペーサはまた柔軟組織構造を張設することで、各骨構造間の動作の包絡面を縮小すると共に、関節の横方向および回転方向の安定性を高める。上記スペーサは更に、骨構造の切除の間において骨／切削要素を支持すべく使用され得る。上記スペーサの挿入に先立ち、適切な肢整列および靱帯張力／平衡を回復するに必要な靱帯離脱が実施され得る。
【００６６】
靱帯包および腱の適切な張力を維持すべく、種々のデバイスの任意のものが使用され得る。斯かる張設デバイスとしては、限定的なものとしてで無く、下肢の重量による重力、関節内スペーサ、ブラダ、バルーン、ベローズ、ギヤ機構、シザー機構、他の膨張可能デバイス、または、関節の各側に係合もしくは取付けられる他の要素が挙げられる。更に伸延力は、上記切削要素における膨張基部により提供され得る。ショルダ上に滑走表面を有する取付部材と組み合わせて、伸延デバイスも有用であり得る。上記ショルダは、大腿骨に対する脛骨の関節運動と大腿骨の形状とにより、大腿骨切除の深度および形状を制御し得る。
【００６７】
特に術前評価に対しては、バルーンなどのスペーサが内側および外側切除部の両方に配備され得る。手術の間、内側切除部にはバルーンが配備され得ると共に、外側切除部にはカッタが取付けられたベローズなどのスペーサが配備され得る。代替的には外側および内側切除部の両方に、カッタが取付けられたベローズが配備され得る。
【００６８】
図３２および図３３は夫々、大腿顆を調製する間に共通平面内に各切削要素を維持すべくヒンジ機構65により連結された２個の切削要素61および63の閉成状態および開成状態を示している。ヒンジ機構65によれば、２個の切削要素61および63の相互に関する載置の調節性が許容される。
【００６９】
脛骨プラトーにおける切除部の生成の後、図３４の大腿骨彫成ツールは脛骨プラトーにおける各凹所内に載置され得る。ヒンジ機構65は、内外側方向においてツール・アーム172および174の調節を可能とすることで脛骨プラトーの切除部の間隔に適応すると共に、ツール・アーム172および174を共通平面内に保持することで、各大腿顆切除部の相互に関する適切な配向を確実とする。ツール・アーム172および174に対しては切削要素180が取付けられると共に、該切削要素はたとえば一対のギヤ機構などの駆動機構により駆動される。好適実施例において上記ギヤ機構は、補助的駆動ケーブル184および186に対してトルクを提供するギヤボックスを駆動する共通可撓駆動ケーブル178により駆動される。図３５に示すように、切削要素182の表面は粗面化され又は切削溝を有することで、大腿顆の切削を行う。
【００７０】
図３６に示すように上記膝関節大腿骨彫成ツールは、脛骨プラトー190に作成された切除部内に載置され得る。切削ディスク180は、大腿顆188と接触する。膝関節が撓曲されて切削ディスクに亙る大腿顆の相対運動に帰着することで、大腿骨の内側および外側顆が同時に切除される。膝関節に張り亙る柔軟組織構造は、所定膝部関節の通常の運動動作に沿い切削動作を案内する。上記切削ディスクは、横方向平面内で回転する。
【００７１】
図３７および図３８は夫々、該切削要素100を囲繞する伸延器104に対して付与される流体圧により上昇すべく構成されると共にプラットフォーム102に支持された切削要素100の端面図および平面図である。伸延器104に対して圧力を付与すると、切削工具は、上記切削要素の頂面により設定された所定深度まで大腿顆内に付勢される。上記切削要素の頂面と組み合わされた伸延器104は、膝部関節に張り亙る柔軟組織構造を張設し乍ら、適切な切除深度を確実とする。柔軟組織構造を張設することの利点は、膝関節の動作の包絡面を縮小し、膝関節を安定化し、且つ、大腿骨顆切除部の大きな精度および反復性を提供することである。代替実施例は、伸延力を提供すべく、脛骨に生成されたキャビティの床部と切削要素の底部との間に載置されたスペーサを使用し得る。
【００７２】
図３９は、大腿顆を支持して大腿骨10を伸延すべく使用されるバルーン・スペーサ110を示している。バルーン・スペーサ110に対しては、ホース114を介してシリンジもしくはポンプ112が取付けられ得る。バルーン・スペーサ110は、膨張可能スペーサの一例である。膨張可能スペーサが使用される場合には、術前評価が実施されるべきである。手術の間において膨張可能スペーサは、切除されるべき各骨構造間に載置される。上記切削要素は動的スペーサ内に収納され、切削要素は切除部の深度を設定すべく該動的スペーサに対して調節可能とされ得る。上記動的スペーサは負荷制御下で機能し得るが、その場合には、一連の動作の全体に亙り又は変位制御下で各骨構造間に一定の伸延力が付与される。変位制御下では、一連の動作の全体に亙り各骨構造間に一定変位が維持される。各々の場合、上記動的スペーサは切削要素を収納すると共に、関節は撓曲および延伸され乍ら、切除されつつある骨構造に対する事前設定深度にて上記切削要素は保持される。上記動的スペーサによれば関節の運動特性は、骨構造の各々における切除経路を定義し得る。
【００７３】
脛骨が撓曲および延伸を介して関節運動するにつれ、上記大腿骨カッタは膝関節インプラントの大腿骨用構成要素を受容する切除部を大腿顆内に調製する。図４０は、大腿顆における骨切除部130および132を示している。図４１および図４２は、所望とされ得る大腿顆の骨切除部の代替実施例を示している。
【００７４】
インプラント：上記手術処置は好適には、膝蓋骨の亜脱臼もしくは転位を必要としない最少侵襲的切開により実施される。故に、最少侵襲的切開に適合貫通され得ると共に関節内にて配向されもしくは関節に結合され得る大腿骨インプラント、脛骨インプラントもしくは膝蓋骨インプラントなどのインプラントが設計される。大腿骨インプラントおよび脛骨インプラントは、限定的なものとしてで無くポリメチル・メタクリレートなどの習用の結合方法により、または、限定的なものとしてで無く孔性内方成長表面による骨への直接的取付けにより、骨に対して取付けられ得る。
【００７５】
上記脛骨用基板は選択的に、膝関節に関する脛骨プラトーの調製済表面の殆どを覆うべく単一片として構成される。単一プラットフォームとして構成されたならば上記脛骨用基板は、内側もしくは外側の脛大腿区画のいずれかに対する固定担持部または可動担持部インサートのための捕捉機構を提供する。選択肢として、内側脛大腿区画に対する固定担持部捕捉機構と可動担持部捕捉機構とを提供する単一プラットフォーム、または、外側脛大腿区画に対する可動担持部インサートを受容する簡素なプラットフォームが設計される。左右の脛骨用基板が必要とされることから、可動担持部内側インサートおよび固定担持部外側インサートに対して同一の基板が用いられ得る。
【００７６】
代替的に図４３に示すように、上記脛骨インプラントは内側および外側区画に対する別体のプラトー基板として構成され得る。これらのプラットフォームは、それらの相互および／または大腿骨用構成要素に対する関係における配向を決定する整列器具により、相互に対して配向され得る。上記脛骨用基板は固定担持部とされ得ると共に、完全にポリエチレンで製造され得る。故に同一の膝関節置換手術においては、金属製支持トレイ151を備えた固定担持部脛骨用構成要素150と金属製支持トレイ153を備えた可動担持部脛骨用構成要素152とが使用され得る。更に上記脛骨用基板は、内側および外側区画のいずれかまたは両方において、別体の固定および可動担持部インサートに適合し得る。
【００７７】
インプラントの全ては、小寸の切開を介して載置することが好適である。図４４に示すように上記大腿骨インプラントは、内側顆の関節結合表面を表面再形成する第１構成要素132と、外側顆の関節結合表面を表面再形成する第２構成要素130とを含む。膝蓋大腿関節の大腿骨側を表面再形成すべく、選択的な第３構成要素134が配備され得る。大腿顆の凸状表面は担持表面であり、脛骨担持インプラントと相互作用する。選択的に上記大腿骨用構成要素は上方駆動植設のために、その支持部もしくは凸状内側表面に沿いフィンを含み得る。該フィンは、上記内側表面の一部から別の部分へと延在するウェブとして形状化され得る。
【００７８】
図４２に示すように、上記外側大腿骨インプラントは膝蓋骨フランジと連続的とされ、小寸切開を貫通し得る単一片136を形成し得る。上記連続片を収容すべく、外側顆構成要素および膝蓋大腿構成要素は選択的に、膝蓋大腿溝の頂部から延在する単一構成要素136であって遠位方向および後方の両方にて外側顆に亙り延在する単一構成要素136とされ得る。図４５は、外側顆構成要素と膝蓋大腿構成要素とを組み合わせて単一構成要素136とした大腿骨インプラントの側面図である。
【００７９】
上記担持要素は超高分子量ポリエチレンから製造され得るが、業界公知である任意の適切な生体適合性材料からも製造され得る。上記担持要素は概略的に３個の構成要素、内側脛骨顆、外側脛骨顆および膝蓋骨を含む。好適には担持要素の選択は、各区画に対する固定もしくは可動担持部に対して提供される。故にたとえば外科医は自らの判断で、一方は内側であり他方は外側である各脛骨用構成要素の各々に、可動担持部もしくは固定担持部インサートのいずれかを挿入する。
【００８０】
上記大腿骨用構成要素は、別体的な各大腿骨用構成要素を、相互に対するおよび／または脛骨用構成要素に対する関係において配向する整列デバイスを含み得る。また、骨調製および構成要素配向と協働して使用され得る。
【００８１】
上記大腿骨用構成要素は、種々のサイズで提供され、且つ、調製された大腿顆の形状の僅かな相違に対する最適適合を提供すべく可撓である構成要素を選択的に含む。
【００８２】
図４６は、可撓インプラントとして構成された大腿顆インプラントの選択的実施例を示している。該大腿顆インプラントの外側面は、関節結合表面を形成する好適にはコバルト・クロム合金である金属の薄寸体である。たとえばステンレス鋼、チタン合金またはニチノール(Nitinol(登録商標))などの、他の適切なインプラント等級の合金、ポリマもしくは金属が使用され得る。ひとつの平面内における均一な偏向を提供すべく、上記インプラントは薄寸であると共に断面が均一である。上記大腿顆インプラントの支持表面は、ポリメチル・メタクリレート(PMMAもしくはPMA)などの成形済の骨用セメントと、関節結合表面に結合されたスペーサとに対して整列される。上記スペーサは、作製の間に所定位置において成形されるに適したブロックもしくは他の任意の構成として形状化され得る。概略的に上記スペーサは、前頭面においては大腿顆インプラントの一側から他側へ張り亙るべく形状化される一方、所定間隔にて各スペーサに空間を提供することで、関節結合表面の穏やかな撓曲を促進する。斯かる撓曲により可撓大腿顆インプラントは、大腿顆において調製された骨性支持表面の固有形状に合致することで、運動特性的に画成された支持表面を最大限に利用する。斯かるインプラントは一連のサイズで提供されることで、個々の患者の生理機能に適合すると共に、調製された表面に合致すべく所定インプラントが行うこともある撓曲の量を最小化する。故に、関節結合表面の歪曲は最小限である。
【００８３】
使用に際し、切除された大腿顆は未硬化の骨用セメントにより覆われる。骨用セメントが硬化するまで、大腿骨インプラントは切除された大腿顆に対して載置され且つ負荷される。
【００８４】
上記大腿顆を調製する好適方法は、脛骨を切削カッタに対する支持部として使用する。膝関節の柔軟組織構造は、大腿顆の全体に亙りカッタを移動する動作の経路を提供する。膝関節の運動特性は、良好に理解されて定義される。この手法は必然的に、患者毎の柔軟組織構造および骨性構造の相違に依存して大腿顆へと加工された固有形状に帰着する。
【００８５】
代替実施例においては、各大腿顆は隆起形成され且つ所定サイズとされ得る。各インプラントは、複数の構成要素170から構成される。各構成要素170は、インプラントと支持骨との間の空間を充填する注入材として作用する骨用セメントにより所定位置にセメント固定される。骨用セメントは、２ミリメートルまでの厚みで塗付されたときに長期のインプラント安定性を提供することが示されている。故に一連のインプラント・サイズは、予見される大腿顆サイズの範囲および予見される形状の相違を網羅する。
【００８６】
本発明の好適実施例が記述されたが、発明の精神および添付の各請求項の有効範囲から逸脱せずに種々の変更、適合および改変が為され得ることは理解すべきである。
【００８７】
股関節部の解剖学的構造および外科的手法：図４７は、股関節部の概略的な解剖学的構造、ならびに、近位大腿骨202および寛骨臼204を露出する股関節部に対する典型的な外科的手法200を示している。習用の全体的股関節置換においては、股関節部に対して概略的に４通りの外科的手法がある。これらは、転子骨切りなしの後部手法、転子横断手法、転子骨切りなしの前部手法、および、Smith-Peterson手法を含む。斯かる手法は、1998年にメリーランド州(MD)のJ.B.Lippincott社のエム・ダブリュ・チャップマン(M. W. Chapman)により編集された“整形外科手術学(Operative Orthopedics)”などの種々の整形外科文献に詳細に記述されている。これに加え、全体股関節形成術に対しては一般的に直接的外側手法が用いられる。股関節に対する最も一般的な外科的手法は後部からのものであり、且つ、分断される筋系としては、短寸の内部および外部回旋筋、大腿筋膜張筋、大腿方形筋、梨状筋、および、一定の場合には、中殿筋および小殿筋の一部、および、大臀筋が挙げられる。
【００８８】
図４８に示すように、最少侵襲的な全体股関節手術において切開206は典型的に6cmである。6cmもしくは2〜4インチは最少侵襲的な外科的切開に対して典型的な長さである一方、患者の生理機能、外科医の選好性および／または他の要因により一定の変形例があり得る。上記外科的手法は、単刀直入な切開により大臀筋を分離して、股関節部包と転子窩とに対するアクセスを実現する段階を包含する。筋肉分断は通常的に、転子窩における梨状筋腱の離脱に制限される。尚、記述された外科的手法に対しては、当業者が公知の変形例が在ることを銘記されたい。
【００８９】
図４８は、股関節部に対する最少侵襲的な外科的手法を示している。概略的な手法は後部からのものであり、分断される筋系は梨状筋腱の離脱を含む。上記切開は、大腿骨骨頭および寛骨臼を露出し、且つ、半球リーマ208、駆動機構210および大腿骨用ブローチ212の載置を可能とするに丁度十分なだけ大寸である。
【００９０】
提供される最少侵襲的技術と対照的に全体的股関節置換手術は、大寸切開を介して股関節部を露出することで外科医に対し、股関節部および寛骨臼領域の完全視覚化と、手術用動力式器具に対するアクセスとを提供する段階を包含する。大腿骨骨頭が除去されて大腿管が拡孔かつ穴刳りされることで、股関節用ステムを支持する骨性表面が調製される。上記ステムは、セメント固定されるか骨性内方成長のために圧力嵌めされ得る。寛骨臼は、最も典型的には外科用ハンド・ドリルに取付けられた半球リーマを用いて軟骨組織を出血骨まで除去することで調製される。図５２に示された外科的露出は概略的に８〜１２インチ長さの範囲であり、股関節部を囲繞する柔軟組織の相当の損傷に帰着することもある。
【００９１】
最少侵襲的寛骨臼用リーマ・システム(MIAR)：図４９に見られる如く股関節置換手術と共に用いられる本発明のMIARは、大腿骨試作物216と、(一体的もしくは別体的な)駆動機構218と、寛骨臼窩から軟骨組織および骨を除去する半球リーマ220もしくは類似デバイスとを備えたモジュール式もしくは非モジュール式の構造である。半球リーマ220または類似デバイスは(不図示の)取付構成要素を含むが、該構成要素は、大腿骨に対して直接的もしくは間接的に取付けられ、または、該取付部材自体が大腿骨に対して直接的もしくは間接的に取付可能な取付部材に対して取付けられる。大腿骨に対してMIARを直接的もしくは間接的に取付ることの論議は、大腿骨(もしくは大腿骨用構成要素)に対する上記リーマの直接的な取付け、または、大腿骨(または大腿骨用構成要素)に対して取付けられた取付部材に対するリーマによる取付けを包含すべく広範囲に解釈されるべきである。特にモジュール式構造としての上記拡孔システムによれば、小寸切開を介して各構成要素の載置が可能とされ、且つ、器具セットにおける構成要素の個数が最小化される。上記最少侵襲的処置において近位大腿骨は、習用の股関節形成術により必要な如く寛骨臼の調製の間において変位される必要はない。故に上記処置は、筋肉および腱の最小限の離脱のみを必要とすることから、近位大腿骨に取付いている筋肉および腱に対して必要な損傷は最小限である。本発明は全体的股関節置換に関して記述されるが、本発明は、機能を回復し且つ痛覚を緩和すべく関節結合する関節の表面が改変もしくは表面再形成されるという整形外科の全体に亙る用途を有する。上記MIARシステムはリーマ、ブローチまたは他の適切なデバイスなどのデバイスに対して繋止されもしくは該デバイス上に取付けられた駆動機構を用いるが、このデバイスは、一方の骨に対して固定されると共に、関節を切り詰めまたは関節を切り詰めの位置に載置して、半球リーマもしくは適切な骨彫成ツールにより、人工構成要素を受容する関節の対向側を調製すべく起動され得る。
【００９２】
股関節部に関して大腿骨骨頭は、挿入されるべき股関節用ステムもしくはブローチを支持する骨性表面を調製すべく大腿管が拡孔かつ穴刳りされる以前もしくは以後に除去される。上記最少侵襲的な寛骨臼用リーマは、近位大腿骨に挿入されたブローチ、リーマ、試行的大腿骨用構成要素もしくは他のデバイスに対して取付けられる。上記MIARを近位大腿骨に対して直接的に取付けることは可能であるが、上記器具および大腿骨インプラントは好適な支持構造を提供する、と言うのも、ラスプ、ブローチ、試作物もしくはインプラントなどのこれらの器具は調製された骨性表面に密接に合致して、上記MIARが取付けられ得る堅固な金属構造を提供するからである。故に好適実施例において上記MIARは、近位大腿管内に固定された大腿骨用ブローチに対して直接的もしくは間接的に取付けられる。尚、本記述の全体に亙り、ラスプ(rasp)、試作物(trial)、ブローチ(broach)、インプラント(implant)およびステム(stem)は上記MIARシステムに関して互換可能に使用されることを銘記されたい。付加的実施例は、大腿骨、大腿骨試作物もしくは大腿骨インプラントに対する上記MIARの直接的な取付けを含む。MIARを大腿骨に対して直接的もしくは間接的に取付け、リーマ・ヘッドは寛骨臼内へと載置される。MIARは、大腿骨が位置決めされるにつれて軟骨組織および骨の除去を開始すべく起動される。手術を行う外科医は必要に応じて脚部を載置および／または移動することでMIARを制御し、寛骨臼の球状拡孔を行う。外科的索行が利用され得る。
【００９３】
上記大腿骨試作物は、近位大腿骨のサイズ範囲に適合すべく一連のサイズで利用可能である。また上記半球リーマは、寛骨臼のサイズ範囲に適合すべく一連の直径で利用可能である。好適実施例において上記駆動機構は、各大腿骨試作物の間で且つ各半球リーマ間で交換可能である。代替実施例は、各大腿骨試作物に対するまたは試作物の各群に対する駆動機構を含む。上記試作物は、サイズに依り、または、左右に依りグループ分けされ得る。与えられた例は、大腿骨用ラスプに対して直接的もしくは間接的に取付けられたMIARに対するものである。上記駆動機構が大腿骨試作物または大腿骨インプラントに対して直接的もしくは間接的に取付けられるとき、類似の組み合わせが可能である。
【００９４】
本発明に係る処置の例は以下の各段階を含む：調製された近位大腿骨内へと適切な大腿骨試作物が載置され；大腿骨試作物の近位側上に駆動機構が載置されるのに続き、適切なサイズの半球リーマが駆動機構上に載置され；股関節は切り詰められ且つ拡孔システムは寛骨臼を調製すべく起動される。もちろん、上記MIARがモジュール式でなければ、それはユニットとして載置され、股関節が切り詰められ、且つ、上記拡孔システムが起動される。
【００９５】
図５４に示すように一連のサイズで提供される寛骨臼用リーマ220は、駆動機構218に対する迅速な取付けを提供する支持プレート235にて駆動機構218に取付けられる。上記リーマは好適には、関節結合の間においてMIARと大腿骨との間の相対運動を防止すべく十分な安定性が提供される如く、大腿骨側に堅固に支持される。斯かる安定性は概略的に、ブローチ216、大腿骨試作物もしくは大腿骨インプラントを大腿管内に載置することで提供される。図４９は、本発明に係るMIARの実施例を示している。
【００９６】
MIARに対する支持は、大腿骨用ブローチ216により提供される。駆動機構218は、大腿骨用ブローチ216により支持される。図４９は更に、大腿骨用ブローチ3216により支持された駆動機構ハウジング内に支持された駆動機構218の駆動シャフト240を示している。
【００９７】
図５１に示すように駆動機構218は、寛骨臼用リーマに対して回転もしくは揺動を伝達すべくウォーム238およびウォームギヤ236の組み合わせ、ベベルギア、平歯車、ベルトもしくはチェーン・ドライブまたは他の適切な機構を使用し得る。図５０においてウォームギヤ236は駆動シャフト234に取付けられる一方、該駆動シャフトは(ウォームギヤの背後の)ウォームにより駆動される。ウォームおよびウォームギヤの組み合わせは、上記寛骨臼用リーマを駆動すべく使用され得るひとつの可能的な駆動機構のみを表し、且つ、限定的なものとしてで無く例示的であることが意図される。当業者に公知の他の任意の駆動機構が本発明と共に使用され得る。図５１は、入力駆動シャフト240により支持されたウォーム238を示している。
【００９８】
図５３に示すように、駆動シャフト240に対しては可撓駆動ケーブル228が取付けられる。選択的に、上記駆動機構ハウジングに対して取付けられたスリーブは、外科的切開を貫通延在し得ると共に、外科的切開の外側にて可撓ケーブル221が取付けられた駆動シャフト240を含み得る。上記駆動機構により生成されたトルクは、該駆動機構と大腿骨試作物との間において回転停止部242(図８参照)により反動される。
【００９９】
寛骨臼は、該寛骨臼内で半球リーマを回転もしくは揺動することで調製される。上記寛骨臼用半球リーマは、寛骨臼窩から軟骨組織および骨を除去するために用いられるリーマ、カッタまたは他のデバイスとされ得る。代替的に、組織を除去するレーザ、水噴流切削、超音波プローブ、化学的なもしくは他のデバイスなどの非機械的切削器具が使用され得る。本発明において斯かるデバイスは、デバイスを大腿骨に支持させ乍らのリーマの回転もしくは揺動を包含する。図５２に示すように上記MIARは、リーマを駆動する内部動力源を備えた自給式とされ得るか、または、リーマを駆動する外部動力源を有し得る。同様にモータ222は、駆動機構の内部とされ得るか、または、適切なシャフトまたは接続を介して駆動機構にトルクを伝達し乍ら外部とされ得る。上記駆動機構は、ギヤ、カム、レバー、ベルトおよびプーリもしくはチェーンなどの機械的構成要素で構築され得る。上記リーマを駆動する上記駆動機構に対する動力源としては、油圧モータを駆動する流体、空気圧モータを駆動する気体、(大腿骨試作物と一体的な、または、該モータを駆動機構に接続する可撓駆動ケーブルを介した)電気モータを駆動する電気、ソレノイド、または、リーマに対して回転もしくは揺動を提供する他の適切な動力源が挙げられる。代替的に上記駆動機構は、手術用ドリルMidas RexおよびAnspaq高速ドリル／カッタなどの入手可能な手術用動力式器具により駆動され得る。斯かる機器は、空気圧およびバッテリ駆動形態で利用可能である。好適実施例において上記駆動機構は、可撓駆動シャフトを介してトルクを伝達する外部動力源により駆動される。代替的に上記動力源は、大腿骨試作物もしくはブローチ内に収納され得る。
【０１００】
代替的に上記駆動機構は、試行的頚部を大腿骨試作物に対して取付ける全体股関節システムの種々の製造業者により提供される取付機構の任意のものと共に使用すべく構成され得る。故に上記取付けは、溝内の突起、孔内の突起、円錐状テーパ部、ネジ嵌合、または、螺条形成取付とされ得る。好適実施例において上記駆動機構は、上記MIARが使用されつつある全体股関節システムを備えた大腿骨試作物もしくはラスプ／試作物に対して取付けられるべく設計される。上記駆動機構の近位表面は、一連の寛骨臼用リーマ・サイズに適合する迅速取付機構を備えて設計される。
【０１０１】
別実施例において上記駆動機構は、大腿骨骨頭インプラントもしくはインプラント試作物を支持する大腿骨テーパ部(femoral taper)により支持される。上記大腿用ステム試作物は調製済み大腿管内に載置され、且つ、適切な大腿骨頚部試作物が上記ステム試作物上に載置される。上記駆動機構は上記大腿骨頚部試作物のテーパ部上に載置され、且つ、適切なサイズとされた寛骨臼用リーマは上記駆動機構に対して直接的もしくは間接的に取付けられる。選択的に、上記大腿用ステム試作物および大腿骨頚部試作物は一体的に形成され得る。この手法においては、大腿管が調製されると共に、適切なサイズとされた大腿用ステムが患者の大腿骨の解剖学的構造に基づいて選択される。調製された大腿骨内には大腿用ステム・インプラントが載置されると共に、適切なサイズとされた寛骨臼用リーマを備えた駆動機構が上記インプラント上に載置されて寛骨臼を調製する。
【０１０２】
代替実施例において上記駆動機構は、大腿骨試作物もしくは寛骨臼用リーマに対して一体的とされ得る。上記半球リーマはモジュール式であると共に、処置の間においてリーマ・サイズの変更を許容する。図５２に見られる如く外科的使用において、この場合には油圧モータ222である一体的駆動機構を備えた適切な大腿骨用ブローチ216は調製された近位大腿骨内に載置され、且つ、適切なサイズとされた半球リーマ220は上記駆動機構を介して上記ブローチに対し直接的もしくは間接的に取付けられる。上記試行的ステムは、ブローチ216の近位側内に収納された駆動機構222を含む。上記ブローチ内の油圧モータとされ得る駆動機構222は駆動シャフト226および支持プレート235を回転すると、これらの駆動シャフトおよび支持プレートは寛骨臼用リーマ220を回転することで寛骨臼を調製する。代替的に図５８に見られる如く、一体的な駆動機構218を備えた適切な寛骨臼用リーマ220は寛骨臼窩232内に載置されると共に、大腿骨試作物216に対して直接的もしくは間接的に取付けられる。股関節部が関節運動され(切り詰められ)ることにより、寛骨臼の調製が実施される。
【０１０３】
図４９、図５０、図５１、図５３および図５４は、上記MIARシステムの一実施例において使用される機械的な駆動機構を示している。図５３は、半球リーマ220を寛骨臼232と接触させて近位大腿骨230内に載置されたMIARを示している。図５４は、MIARシステムの一実施例の分解図である。駆動機構222から遠位方向に延在する駆動シャフト234は受容孔254内へと通過することで、駆動機構222をブローチ216に取付ける。抗回転ピン242は受容孔256に係合することで、上記駆動機構とブローチとの間に安定性および回転抵抗を付加する。リーマ220は、駆動機構218の一部である支持プレート235に取付けられる。リーマ220の表面258は、支持プレート235に対して円錐形に固定される。
【０１０４】
更に別の実施例において上記寛骨臼用リーマは畳み込まれた状態で組立てられることで、MIARシステムを所定位置として股関節部の切り詰めを容易とし得る。上記寛骨臼用リーマは、大腿骨ハウジングから、または、MIARの駆動機構もしくはギヤ機構から延長される。この延長は、各要素間に載置される詰め金プレート(shim plate)、スペーサもしくは他の適切なデバイスなどの種々のデバイスにより達成され得る。代替的に上記MIARは、空気圧、送りネジ(lead screw)または他の動力源により延長され得る。上記MIARが延長される様式は本発明にとり重要でなく、任意の適切なデバイスもしくは方法が使用され得る。股関節の回りにおける関節包および／または他の柔軟組織要素により十分な抵抗が生じたとき、上記MIARは寛骨臼の骨調製を開始すべく起動される。寛骨臼の拡孔のプロセスは、柔軟組織要素の張設を介して生成される圧力により増進される。空気力を用いる例においては、まず気体圧力がMIAR構造を延長する。延長に対して特定量の抵抗が生じた後、空気圧は、上記寛骨臼用リーマを転回するトルクを生成する各要素に対して伝達される。
【０１０５】
最少侵襲的な寛骨臼衝撃システム：寛骨臼が調製されたなら、通常は骨用セメントもしくは圧力嵌めのいずれかにより、寛骨臼用インプラントが支持骨に対して固定される。セメント固定された寛骨臼用構成要素の場合、骨表面はインプラントのサイズに対して過剰寸法とされる。骨性表面およびインプラントは、骨用セメントにより覆われる。上記インプラントは寛骨臼内に載置されて所定位置へと加圧されることで、寛骨臼用構成要素と支持骨との間に骨用セメントの均一層を形成する。圧力嵌め式の寛骨臼用構成要素の場合、骨表面はインプラント・サイズに対して輪郭対応(line-to-line)もしくは小寸サイズとされる。上記インプラントは、上記支持骨内の所定位置へと衝撃される。標準的な全体股関節手術においては、寛骨臼用構成要素を衝撃すべく一般的には直線状ハンドル付き衝撃器が用いられる。習用の全体股関節手術において典型的に用いられる相当の露出は、寛骨臼に対して衝撃器を整列するための間隙を提供する。ところが最少侵襲的な全体的股関節置換の場合には切開が小寸すぎて、標準的な直線状ハンドル付き衝撃器の適切な配向が許容されない。標準的な衝撃器を使用するには、寛骨臼に対して正しい配向で衝撃器を筋肉および組織に貫通させるべく、第２の切開を作成する必要がある。寛骨臼用構成要素は、通常機能を提供すべく且つ股関節部の転位を防止すべく、適切に位置決めされねばならない。しかし第２の切開を作成して更なる筋肉を分断することは、最少侵襲的処置の目標に反する。故に、最少侵襲的切開を介して寛骨臼用構成要素を衝撃するデバイスが必要とされる。一実施例において本発明は、大腿骨試作物に対して直接的もしくは間接的に取付けられ且つインプラントを適切に着座させる衝撃力を提供すべく設計されたデバイスを含む。また、種々の寛骨臼用構成要素およびそれを載置する方法が使用され得る。寛骨臼内に植設するための例示的構成要素としては、限定的なものとしてで無く、セメント固定されたシェルまたは圧力嵌めカップが挙げられる。
【０１０６】
図５６に見られる如く上記衝撃デバイスは好適には、大腿骨用ブローチ216に取付け可能な空気圧衝撃ハンマ260と、寛骨臼用構成要素のシェル252に取付けられる選択的な取付構成要素とを含む。衝撃デバイス260および寛骨臼用構成要素252は独立して手術部位に載置されると共に、手術部位にて組立てられ得る。代替的に衝撃デバイス260および寛骨臼用構成要素252は、該衝撃デバイスをブローチ216上に載置するに先立ち組立てられ得る。上記寛骨臼用シェルは上記衝撃器に対して直接的もしくは間接的に取付けられ且つ上記衝撃器は大腿骨用ブローチに対して固定されて、上記シェルは股関節部を切り詰めることで寛骨臼内に載置される。上記ブローチ、大腿骨および脚部の塊状体は、上記衝撃デバイスの力を相殺する平衡錘の役割を果たす。上記衝撃デバイスに対しては、切開の外側に延在する接続シャフトであって衝撃力に対する錘もしくは外部抵抗に取付けられる接続シャフトを介して、付加的な平衡錘が直接的もしくは間接的に取付けられる。
【０１０７】
上記衝撃デバイスは、空気圧衝撃ハンマ、油圧ピストン、リニア・アクチュエータもしくはソレノイド、電気機械的デバイス、スプリング起動式デバイス、または、他の任意の適切な力生成機構により動力供給され得る。上記動力源は、手術部位の外側に由来しても良く、または、衝撃デバイスと一体的とされ得る。代替策として、最少侵襲的切開を介してのアクセスを許容すべく角度付けされたハンドルを備えた携帯式衝撃器が寛骨臼用構成要素を衝撃すべく使用され得る。好適実施例において上記衝撃器は、図６７に示すようにシングルエンド形の空気駆動ピストンおよびシリンダである。衝撃器ハウジング268の背面292は、前述のブローチに取付けられるべく構成される。上記ハウジング内には、主要シリンダ294内を進行する主要ピストン282が在る。(示された)引込位置においては、主要ピストン282における保持溝288に対して二次的ピストン280のプッシュ・ロッド286が係合する。二次的ピストン280は、二次的スプリング278により延伸位置に保持される。上記システムを蓄力すべく、主要ピストン282の背後に対する主要管284を介して空気圧が付与される。主要ピストン282は、二次的ピストン280のプッシュ・ロッド286により所定位置に保持される。空気圧は二次的管276に対して付与されることで、主要ピストン282の保持溝288から上記プッシュ・ロッドおよび二次的ピストン280を引張り出すことで主要ピストン282を解除し、シリンダ298の頂面を衝撃する。上記衝撃力は、衝撃器ハウジング268を介して伝達され、カップ・アダプタ264を介して(不図示の)寛骨臼用シェルへと送給される。カップ・アダプタ264は、上記寛骨臼用シェルに係合する螺条形成端部290を有する。カップ・アダプタ264の他端は、衝撃器ハウジング268の頂面上の交合隆起部270に嵌装されるボックス形状凹所300を有する。
【０１０８】
衝撃サイクルの後、主要管284の圧力は解除されると共に、主要ピストン282は戻しスプリング274により引込位置へと戻される。主要ピストン282がその引込位置に在るとき、二次的管276に対する空気圧は解除されると共に、二次的ピストン280は二次的戻しスプリング278により固定位置へと押し戻される。主要管284に対しては圧力が再付与されることで上記衝撃器は蓄力されると共に、上記サイクルは反復される。
【０１０９】
外科的使用において、カップ衝撃器260およびブローチは手術部位の外部で組立てられてから、調製済みの近位大腿骨内に載置され得る。代替的に、まず上記ブローチが近位大腿骨内に載置されてから、カップ衝撃器260が該ブローチに取付けられても良い。カップ衝撃器260を所定位置として、カップ・アダプタ264はカップ・インプラントに取付けられ、且つ、上記アダプタにおける凹所300は上記カップ衝撃器の頂部上の交合隆起部270上に載置される。股関節部は切り詰められ、寛骨臼用シェルが寛骨臼内に載置される。骨盤に関して上記シェルを外科医が適切に配向するのを助力すべく、上記カップ衝撃器に対しては(不図示の)整列案内要素が取付けられる。代替的に、上記カップ衝撃器および寛骨臼を基準とすることで上記寛骨臼用シェルを位置決めすべく外科的索行システムが使用され得る。所定位置とされたなら上記シェルは、上記カップ衝撃器をトリガすることで連続的衝撃により寛骨臼内へと衝撃される。好適実施例において、上記トリガは１回の衝撃を放出し、次にカップ衝撃器は必要に応じて更なる衝撃に対してリセットされる。代替実施例において上記トリガは、該トリガが作動する存続時間に対して連続的な衝撃を放出する。
【０１１０】
勿論、上記衝撃デバイスは寛骨臼用構成要素以外のインプラントを載置する際の使用にも適している。上記衝撃デバイスは一切の関節置換においてインプラントを第２骨内に着座させるために使用可能であり、その場合にインプラントは上記衝撃デバイス上に載置され、第２骨と整列され、且つ、該インプラントに対しては第１骨および第２骨により反動される力が与えられる。
【０１１１】
MIARに対する典型的な手術処置は以下の如くである：示された機器装備を用い、寛骨臼の関節結合表面は患者の個々の生理機能に従い、寛骨臼に関して大腿骨を関節運動させることで彫成され得る。上記方法は、大腿骨試作物ステムなどの骨用取付部材に直接的もしくは間接的に取付けられた骨彫成ツールを有する装置を配備する段階と、上記ツールを寛骨臼に対して骨彫成係合させて上記取付部材を大腿骨に対して堅固に取付ける段階と、次に関節に関して大腿骨を関節運動させることで寛骨臼を彫成する段階とを包含する。
【０１１２】
股関節部はソケット継手内のボールであることから、上記MIARを支持し乍ら大腿骨を回転させると、寛骨臼の球状調製に帰着する。代替的に、適切なリーマおよび駆動機構を有する上記MIARは寛骨臼内に載置され、大腿骨を回転せずに骨を除去し得る。
【０１１３】
好適実施例において転子窩は、筋肉の最小限の分断と、転子および周囲領域に対する腱の最小限の挿入とにより、外科的にアクセスされる。上記手法は、中殿筋および小殿筋の後部境界にて、縫工筋と直筋との間の間隔の前部にて行われ、または、直接的な外側露出とされ得る。股関節は、後側手法が用いられるならば後方へと転位され、または、外側もしくは前側手法が用いられるならば前方へと転位され得る。代替的に、股関節は切り詰められたままとされる一方で大腿管が調製され且つ大腿骨頚部が切除される。
【０１１４】
大腿骨頚部は切除され且つ大腿骨骨頭は除去される。上記切除および除去は、揺動鋸などの習用の切削デバイスにより実施され得る。大腿骨は、大腿管を切開と整列すべく配向される。大腿管は、順次的な拡孔および穴刳りを用いて調製される。骨調製は、用いられる特定の全体股関節用ステムに対して固有の技術に関すると共に、外科医の判断である。
【０１１５】
大腿骨内には、適切に寸法設定された大腿骨試作物が載置される。上記駆動機構は、上記大腿骨試作物に対して直接的もしくは間接的に取付けられる。好適には上記駆動機構は、大腿骨試作物上に直接的に取付けられるべく設計される。
【０１１６】
上記寛骨臼用リーマは、上記駆動機構に対して直接的もしくは間接的に取付けられる。適切な寛骨臼用リーマは外科医により選択される。外科医は、最も適切に寸法設定された寛骨臼用リーマを選択する手掛かりとして、除去された大腿骨骨頭の直径を測定することを選択し得る。外科医はまた、外科的索行の使用を選択することもある。
【０１１７】
股関節部は切り詰められ、且つ、股関節は上記駆動機構および寛骨臼用リーマを所定位置とし乍ら関節運動される。股関節の回りにおいて柔軟組織要素を適切に張設すべく、MIAR構造の伸張が選択的に実施される。寛骨臼を調製すべく、上記駆動機構が起動される。必要であれば大腿骨は前進され乍ら股関節部が操作されることで、寛骨臼の球状的で均一な拡孔が確実とされる。寛骨臼用リーマの配向および深度をチェックすべく、撮像が使用され得る。
【０１１８】
外科医の判断にて、拡孔の深度および均一性は処置の間に定期的にチェックされ得る。これは、股関節を転位させ、リーマを取り外し、且つ、照射デバイスおよび潅流デバイス(または組み合わせ式照射／潅流デバイス)を大腿骨試作物に取付けることで行われ得る。股関節は上記照射デバイスおよび潅流デバイスを所定位置として切り詰められ、手術部位は潅流および吸引により清浄化される。次に、寛骨臼の調製済表面が検査され得る。検査の後、上記照射デバイスおよび潅流デバイスは取り外され、上記駆動機構およびリーマが置換えられる。代替的に、拡孔の深度は股関節部の螢光透視法撮像下で評価されても良い。
【０１１９】
寛骨臼を調製するための股関節部の関節運動は、適切なサイズに到達するまで順次的に大寸のリーマにより反復され得る。更に、サイズおよび調製は、必要に応じて照射デバイスおよび潅流デバイスを以てチェックされ得る。適切なサイズに到達したなら、上記寛骨臼用リーマおよび駆動機構は取り外される。
【０１２０】
寛骨臼の調製後、適切な寛骨臼用構成要素が植設される。適切な寛骨臼用構成要素は事前選択され得るか、寛骨臼の外科的調製後に選択され得る。所望の構成要素がセメント固定カップであれば、該カップは所定位置にセメント固定される。
【０１２１】
もし所望の構成要素が圧力嵌めカップであれば、カップ衝撃器が上記ブローチに取付けられると共に、調製済近位大腿骨内に載置される。代替的に、先ずブローチが調製済み大腿管内に載置されてから、カップ衝撃器が上記ブローチに取付けられ得る。寛骨臼用シェルは、上記カップ・アダプタに取付けられて上記カップ衝撃器上に載置される。股関節部が切り詰められると共に、上記シェルが寛骨臼窩内に位置される。衝撃の間において外科医が上記シェルを適切に配向するのを助力すべく、上記カップ衝撃器に対しては整列案内要素が取付けられる。上記カップ衝撃器はトリガされることで、上記シェルを衝撃する。圧力嵌めカップを載置する代替的技術は、撮像案内式手術、または、切開から突出する整列デバイスを使用することもある。上記案内システムは、上記カップを適切な配向へと前進させるために用いられる。最少侵襲的寛骨臼用衝撃器(MIAI)が起動され、上記カップを寛骨臼内に確実に着座させる。技術の如何に関わらず、上記圧力嵌めカップの載置後に上記衝撃デバイスは取り外される。代替的に、衝撃の間において上記カップもしくはカップ衝撃器を位置決め、整列および監視すべく、外科的索行システムが使用され得る。カップ監視は、カップ着座およびカップ整列を表示すべく、寛骨臼の調製後およびカップの載置前において外科的索行システムにより捕捉された解剖学的目印に対するカップ位置のリアルタイム評価を含む。
【０１２２】
上記シェル内には寛骨臼ライナが載置されると共に、大腿骨試作物上には試作的な大腿骨頚部および骨頭が載置される。動作の範囲および股関節安定性がチェックされると共に、適切な大腿骨インプラントが選択される。上記大腿骨試作物は取り外されると共に、製造業者の仕様により大腿骨用構成要素が植設される。
【０１２３】
故に、第２骨に対して通常的に関節結合する第１骨の関節結合表面を最少侵襲的に彫成する装置および方法が提供される。一実施例においては、脛骨が大腿骨に関して関節運動されるにつれて大腿骨を彫成すべく脛骨上に骨彫成ツールが配備される。別実施例においては、大腿骨上に骨彫成ツールを配備し、該骨彫成ツールを大腿骨に対して整列し、且つ、寛骨臼の表面を上記骨彫成ツールに対して係合させることで、寛骨臼が彫成される。
【０１２４】
本発明の有効範囲内において、当業者に公知の付加的構成要素もしくは段階が実施され得る。更に、本発明の有効範囲内において、列挙された段階もしくは構成要素のひとつ以上は処置において実施される必要はない。
【図面の簡単な説明】
【０１２５】
【図１】膝部関節の平面図である。
【図２】全体的膝関節置換手術の間に膝部関節にアクセスする習用の正中切開を示す図である。
【図３】全体的膝関節置換手術の間において膝部関節にアクセスすべく本発明の方法および装置と共に用いられ得る切開を示す図である。
【図４】全体的膝関節置換手術の間において膝部関節にアクセスすべく本発明の方法および装置と共に用いられ得る代替的な切開を示す図である。
【図５】本発明の一実施例に従い脛骨プラトーに生成されたキャビティの断面図である。
【図６】本発明の一実施例に従い脛骨プラトーに切除部を生成する器具の平面図である。
【図７】図６の器具の端面図である。
【図８】本発明の第２実施例に従い脛骨プラトーに切除部を生成する器具の平面図である。
【図９】図８の器具の端面図である。
【図１０】本発明に従い形成された脛骨切除部の平面図である。
【図１１】図１０に示された切除部の平面図である。
【図１２】図１０に示された各切除部の内のひとつの切除部の断面図である。
【図１３】脛骨切除部に取付けられた切削要素を有する本発明の一実施例の平面図である。
【図１４】本発明の代替実施例に従いモータに接続された図１３の切削要素の一形態の側面図である。
【図１５】本発明の一実施例に従い油圧モータにより駆動される切削要素の代替的な図である。
【図１６】本発明の一実施例に従い油圧モータにより駆動される切削要素の代替的な図である。
【図１７】本発明の代替実施例に従い油圧モータにより駆動される切削要素の代替的な図である。
【図１８】本発明の代替実施例に従い油圧モータにより駆動される切削要素の代替的な図である。
【図１９】本発明の一実施例に係る切削要素の端面図である。
【図２０】図１９の切削要素の側面図である。
【図２１】本発明の第２実施例に係る切削要素の端面図である。
【図２２】図２１の切削要素の側面図である。
【図２３】本発明の第３実施例に係る切削要素の端面図である。
【図２４】図２３の切削要素の側面図である。
【図２５】本発明の第４実施例に係る切削要素の側面図である。
【図２６】図２５の切削要素の端面図である。
【図２７】図２５の切削要素の断面図である。
【図２８】本発明の第５実施例に係る切削要素の端面図である。
【図２９】単一の切削要素による図２８の切削要素の断面図である。
【図３０】複数の切削要素による図２８の切削要素の断面図である。
【図３１】本発明の実施例に係る膝部関節の関節結合の運動特性を示す図である。
【図３２】本発明の実施例に係るヒンジ機構により連結された２個の切削要素の平面図である。
【図３３】図３２のヒンジ機構により連結された２個の切削要素の代替的状態の平面図である。
【図３４】本発明の別実施例に係るヒンジ機構により連結された２個の切削要素の平面図である。
【図３５】図３４の切削要素の平面図である。
【図３６】本発明の実施例に従い膝部関節内で展開されたヒンジ機構により連結された２個の切削要素の平面図である。
【図３７】本発明の一実施例に係る切削要素および伸延器の断面図である。
【図３８】図３７の切削要素の平面図である。
【図３９】本発明の実施例に従い膝部関節内で展開された伸延器の平面図である。
【図４０】本発明の実施例に従い作成された大腿骨切除部の平面図である。
【図４１】本発明の代替実施例に従い作成されて大腿骨インプラントを含む大腿骨切除部の平面図である。
【図４２】本発明の更に別の実施例に従い作成されて大腿骨インプラントを含む大腿骨切除部の平面図である。
【図４３】本発明の実施例に従う脛骨用基板の代替実施例の平面図である。
【図４４】本発明の実施例に従い図３８ｋの大腿骨切除部を表面再形成する大腿骨インプラントの平面図である。
【図４５】本発明の実施例に従い図４１の大腿骨切除部を表面再形成する大腿骨インプラントの平面図である。
【図４６】本発明の実施例に係る大腿骨インプラントの平面図である。
【図４７】股関節の解剖学的構造および全体的股関節置換に対する習用の露出を示す図である。
【図４８】リーマによる最少侵襲的な全体的股関節置換に対する露出を示す図である。
【図４９】本発明の一実施例に係る最少侵襲的な寛骨臼用リーマを示す図である。
【図５０】本発明の一実施例に係る最少侵襲的な寛骨臼用リーマの矢状面における断面図である。
【図５１】本発明の一実施例に係る最少侵襲的な寛骨臼用リーマの横方向平面における断面図である。
【図５２】本発明の更なる実施例に係る一体的油圧駆動器を備えた最少侵襲的な寛骨臼用リーマを示す図である。
【図５３】本発明の更なる実施例に係るウォームギヤ駆動機構を備えた最少侵襲的な寛骨臼用リーマを示す図である。
【図５４】本発明の一実施例に係る最少侵襲的な寛骨臼用リーマの分解図である。
【図５５】本発明のひとつの見地に従う手術部位の照射、視覚化、潅流および吸引を示す図である。
【図５６】本発明の一実施例に係る最少侵襲的な衝撃システムを示す図である。
【図５７】本発明の一実施例に係る最少侵襲的衝撃器の詳細図である。
【図１】
2005526524.tif 000003
【図２】
2005526524.tif 000004
【図３】
2005526524.tif 000005
【図４】
2005526524.tif 000006
【図５】
2005526524.tif 000007
【図６】
2005526524.tif 000008
【図７】
2005526524.tif 000009
【図８】
2005526524.tif 000010
【図９】
2005526524.tif 000011
【図１０】
2005526524.tif 000012
【図１１】
2005526524.tif 000013
【図１２】
2005526524.tif 000014
【図１３】
2005526524.tif 000015
【図１４】
2005526524.tif 000016
【図１５】
2005526524.tif 000017
【図１６】
2005526524.tif 000018
【図１７】
2005526524.tif 000019
【図１８】
2005526524.tif 000020
【図１９】
2005526524.tif 000021
【図２０】
2005526524.tif 000022
【図２１】
2005526524.tif 000023
【図２２】
2005526524.tif 000024
【図２７】
2005526524.tif 000025
【図２３】
2005526524.tif 000026
【図２４】
2005526524.tif 000027
【図２５】
2005526524.tif 000028
【図２６】
2005526524.tif 000029
【図２８】
2005526524.tif 000030
【図２９】
2005526524.tif 000031
【図３０】
2005526524.tif 000032
【図３１】
2005526524.tif 000033
【図３２】
2005526524.tif 000034
【図３３】
2005526524.tif 000035
【図３４】
2005526524.tif 000036
【図３５】
2005526524.tif 000037
【図３６】
2005526524.tif 000038
【図３７】
2005526524.tif 000039
【図３８】
2005526524.tif 000040
【図３９】
2005526524.tif 000041
【図４０】
2005526524.tif 000042
【図４１】
2005526524.tif 000043
【図４２】
2005526524.tif 000044
【図４４】
2005526524.tif 000045
【図４５】
2005526524.tif 000046
【図４３】
2005526524.tif 000047
【図４６】
2005526524.tif 000048
【図４７】
2005526524.tif 000049
【図４８】
2005526524.tif 000050
【図４９】
2005526524.tif 000051
【図５０】
2005526524.tif 000052
【図５１】
2005526524.tif 000053
【図５２】
2005526524.tif 000054
【図５３】
2005526524.tif 000055
【図５４】
2005526524.tif 000056
【図５５】
2005526524.tif 000057
【図５６】
2005526524.tif 000058
【図５７】
2005526524.tif 000059
【手続補正書】
【提出日】平成16年10月13日(2004.10.13)
【手続補正１】
【補正対象書類名】特許請求の範囲
【補正対象項目名】請求項１９
【補正方法】変更
【補正の内容】
【請求項１９】
前記骨彫成表面は概略的に円筒形状に形成されており、前記平面内において湾曲された床部であって骨彫成工具の前進方向に概略的に直線状である床部を有する彫成溝を生成するようになっている請求項１５記載の装置。
【手続補正２】
【補正対象書類名】明細書
【補正対象項目名】００７７
【補正方法】変更
【補正の内容】
【００７７】
インプラントの全ては、小寸の切開を介して載置することが好適である。図４４に示すように上記大腿骨インプラントは、内側顆の関節結合表面を表面再形成する第１構成要素133と、外側顆の関節結合表面を表面再形成する第２構成要素131とを含む。膝蓋大腿関節の大腿骨側を表面再形成すべく、選択的な第３構成要素134が配備され得る。大腿顆の凸状表面は担持表面であり、脛骨担持インプラントと相互作用する。選択的に上記大腿骨用構成要素は上方駆動植設のために、その支持部もしくは凸状内側表面に沿いフィンを含み得る。該フィンは、上記内側表面の一部から別の部分へと延在するウェブとして形状化され得る。
【手続補正３】
【補正対象書類名】明細書
【補正対象項目名】００９６
【補正方法】変更
【補正の内容】
【００９６】
MIARに対する支持は、大腿骨用ブローチ216により提供される。駆動機構218は、大腿骨用ブローチ216により支持される。図４９は更に、大腿骨用ブローチ216により支持された駆動機構ハウジング内に支持された駆動機構218の駆動シャフト240を示している。
【手続補正４】
【補正対象書類名】明細書
【補正対象項目名】０１０７
【補正方法】変更
【補正の内容】
【０１０７】
上記衝撃デバイスは、空気圧衝撃ハンマ、油圧ピストン、リニア・アクチュエータもしくはソレノイド、電気機械的デバイス、スプリング起動式デバイス、または、他の任意の適切な力生成機構により動力供給され得る。上記動力源は、手術部位の外側に由来しても良く、または、衝撃デバイスと一体的とされ得る。代替策として、最少侵襲的切開を介してのアクセスを許容すべく角度付けされたハンドルを備えた携帯式衝撃器が寛骨臼用構成要素を衝撃すべく使用され得る。好適実施例において上記衝撃器は、図５７に示すようにシングルエンド形の空気駆動ピストンおよびシリンダである。衝撃器ハウジング268の背面292は、前述のブローチに取付けられるべく構成される。上記ハウジング内には、主要シリンダ294内を進行する主要ピストン282が在る。(示された)引込位置においては、主要ピストン282における保持溝288に対して二次的ピストン280のプッシュ・ロッド286が係合する。二次的ピストン280は、二次的スプリング278により延伸位置に保持される。上記システムを蓄力すべく、主要ピストン282の背後に対する主要管284を介して空気圧が付与される。主要ピストン282は、二次的ピストン280のプッシュ・ロッド286により所定位置に保持される。空気圧は二次的管276に対して付与されることで、主要ピストン282の保持溝288から上記プッシュ・ロッドおよび二次的ピストン280を引張り出すことで主要ピストン282を解除し、シリンダ298の頂面を衝撃する。上記衝撃力は、衝撃器ハウジング268を介して伝達され、カップ・アダプタ264を介して(不図示の)寛骨臼用シェルへと送給される。カップ・アダプタ264は、上記寛骨臼用シェルに係合する螺条形成端部290を有する。カップ・アダプタ264の他端は、衝撃器ハウジング268の頂面上の交合隆起部270に嵌装されるボックス形状凹所300を有する。
【国際調査報告】
2005526524.tif 000060
2005526524.tif 000061
2005526524.tif 000062
2005526524.tif 000063
2005526524.tif 000064
2005526524.tif 000065
2005526524.tif 000066
2005526524.tif 000067
2005526524.tif 000068